(57)【要約】  信号伝送方法、機器、およびシステムは無線通信技術の分野に関し、端末機器がページング指示メッセージを受信するときに発生する電力消費を削減するために使用される。本方法は、基地局が第1のパラメータを決定するステップと、システムメッセージおよび／または上位層シグナリングを使用して端末機器に決定された第1のパラメータを送信するステップと、第1のパラメータに基づいて端末機器に第1の信号を送信するステップであって、第1の信号が端末機器のページング状況を指示するために使用され、第1のパラメータが第1の信号のリソース位置を指示するために使用される情報を含む、ステップと、端末機器が、システムメッセージおよび／または上位層シグナリングを使用して基地局によって送信された第1のパラメータを受信するステップと、第1のパラメータに基づいて第1の信号を受信するステップと、第1の信号に基づいて端末機器のページング状況を決定するステップと、を含む。基地局が第1の信号を送信する方法により、端末が端末のページング状況を決定するためにPDCCHを監視する事例が回避される。したがって、端末機器の電力消費がある程度まで削減される。
2020505887.tif 000002
【特許請求の範囲】
【請求項１】
信号送信方法であって、
ネットワーク機器が、第1のパラメータを決定し、システムメッセージおよび／もしくは上位層シグナリングを使用して端末機器に前記決定された第1のパラメータの全部もしくは一部を通知するステップ、またはネットワーク機器が、前記第1のパラメータを決定するステップであって、
前記第1のパラメータが第1の信号のリソース位置を指示するために使用される情報を含む、前記ステップと、
前記ネットワーク機器が、前記第1のパラメータに基づいて前記端末機器に前記第1の信号を送信するステップであって、前記第1の信号が前記端末機器のページング状況を指示するために使用される、前記ステップと
を含む、信号送信方法。
【請求項２】
前記第1の信号が前記端末機器のページング状況を指示するために使用されることが、
前記第1の信号が少なくとも1つの端末機器識別子に対応しており、前記第1の信号が前記少なくとも1つの端末機器識別子によって識別される少なくとも1つの端末機器のページング状況を指示するために使用されること、
を含む、請求項1に記載の方法。
【請求項３】
前記第1の信号が少なくとも1つの端末機器識別子に対応していることが、
前記第1の信号で搬送される元の情報が少なくとも1つの第1のビットグループを含み、各第1のビットグループが前記少なくとも1つの端末機器識別子内の1つの端末機器識別子に対応していること、
を含むか、または
前記第1の信号が少なくとも1つの端末機器識別子に対応しており、前記第1の信号が前記少なくとも1つの端末機器識別子によって識別される少なくとも1つの端末機器のページング状況を指示するために使用されることが、
前記第1の信号が第1のシーケンスであり、前記第1のシーケンスが、第1のシーケンスセット内にある、前記少なくとも1つの端末機器識別子によって識別される前記少なくとも1つの端末機器の実際のページング状況に対応しているシーケンスであり、前記第1のシーケンスセットが少なくとも1つのシーケンスを含み、各シーケンスが、前記少なくとも1つの端末機器識別子によって識別される前記少なくとも1つの端末機器の1つのページング状況を指示するために使用されること、
を含む、請求項2に記載の方法。
【請求項４】
前記第1の信号がシステムメッセージ変更状況を指示するために使用される情報をさらに含む、請求項1から3のいずれか一項に記載の方法。
【請求項５】
前記第1の信号がシステムメッセージ変更状況を指示するために使用される情報をさらに含むことが、
前記第1の信号で搬送される前記元の情報が少なくとも1つの第2のビットグループを含み、各第2のビットグループが1つのシステムメッセージ変更状況を指示するために使用されること、
を含むか、または
前記第1の信号が、前記端末機器の変更状況を指示するために使用される情報と、システムメッセージ変更状況を指示するために使用される情報とを含むことが、
前記第1の信号が第2のシーケンスであり、前記第2のシーケンスが、第2のシーケンスセット内にある、前記システムメッセージ変更状況と、前記少なくとも1つの端末機器識別子によって識別される前記少なくとも1つの端末機器の実際のページング状況とに対応しているシーケンスであり、前記第2のシーケンスセットが少なくとも1つのシーケンスを含み、各シーケンスが、1つのシステムメッセージ変更状況と、前記少なくとも1つの端末機器識別子によって識別される前記少なくとも1つの端末機器の1つのページング状況とを指示するために使用されること、
を含む、請求項4に記載の方法。
【請求項６】
前記第1の信号が少なくとも1つの第1のサブ信号を含み、前記少なくとも1つの第1のサブ信号内の各第1のサブ信号が少なくとも1つの端末機器識別子グループに対応しており、前記端末機器識別子グループが少なくとも1つの端末機器識別子を含み、各第1のサブ信号が、前記第1のサブ信号に対応する前記少なくとも1つの端末機器識別子グループに含まれる端末機器識別子によって識別される端末機器のページング状況を指示するために使用される、請求項1または2に記載の方法。
【請求項７】
前記第1のパラメータが、前記少なくとも1つの第1のサブ信号内の各第1のサブ信号に対応する前記少なくとも1つの端末機器識別子グループに含まれる前記少なくとも1つの端末機器識別子を含み、前記少なくとも1つの端末機器識別子グループに含まれる前記少なくとも1つの端末機器識別子が、前記少なくとも1つの端末機器識別子グループに対応する前記第1のサブ信号のリソース位置を指示するために使用される、請求項6に記載の方法。
【請求項８】
前記第1のサブ信号が少なくとも1つの端末機器識別子グループに対応していることが、
前記第1のサブ信号で搬送される元の情報が少なくとも1つのビットグループを含み、各ビットグループが前記少なくとも1つの端末機器識別子グループに含まれる1つの端末機器識別子に対応していること、
を含むか、または
前記第1のサブ信号が少なくとも1つの端末機器識別子グループに対応しており、前記第1のサブ信号が、前記少なくとも1つの端末機器識別子グループに含まれる前記端末機器識別子によって識別される少なくとも1つの端末機器のページング状況を指示するために使用されることが、
前記第1のサブ信号がターゲットシーケンスであり、前記ターゲットシーケンスが、前記少なくとも1つの端末機器識別子グループに対応するシーケンスセット内にある、前記少なくとも1つの端末機器識別子グループに含まれる前記少なくとも1つの端末機器識別子によって識別される前記少なくとも1つの端末機器の実際のページング状況に対応しているシーケンスであり、前記シーケンスセットが少なくとも1つのシーケンスを含み、各シーケンスが、前記少なくとも1つの端末機器識別子グループに含まれる前記少なくとも1つの端末機器識別子によって識別される前記少なくとも1つの端末機器の1つのページング状況を指示するために使用されること、
を含む、請求項6または7に記載の方法。
【請求項９】
前記第1の信号が少なくとも1つの第1のサブ信号を含み、前記第1の信号がシステムメッセージ変更状況を指示するために使用される情報をさらに含むことが、
前記少なくとも1つの第1のサブ信号内の各第1のサブ信号が、システムメッセージ変更状況を指示するために使用される前記情報をさらに含むこと、または
前記少なくとも1つの第1のサブ信号内のいくつかの第1のサブ信号が、システムメッセージ変更状況を指示するために使用される前記情報をさらに含むこと、
を含む、請求項8に記載の方法。
【請求項１０】
前記第1のパラメータが第1の信号のリソース位置を指示するために使用される情報を含むことが、
前記第1のパラメータが、時間リソース位置指示情報と周波数リソース位置指示情報の少なくとも一方を含むこと、
を含む、請求項1から9のいずれか一項に記載の方法。
【請求項１１】
信号受信方法であって、
端末機器が、システムメッセージおよび／もしくは上位層シグナリングを使用して送信された第1のパラメータを受信するステップ、または前記端末機器が、システムメッセージおよび／もしくは上位層シグナリングを使用して送信された第1のパラメータの一部を受信し、前記第1のパラメータの前記受信された部分以外の前記第1のパラメータの残りの部分を決定するステップ、または前記端末機器が、第1のパラメータを決定するステップであって、
前記第1のパラメータが第1の信号のリソース位置を指示するために使用される情報を含む、前記ステップと、
前記第1のパラメータに基づいて前記端末機器が、前記ネットワーク機器によって送信された前記第1の信号を受信するステップであって、前記第1の信号が前記端末機器のページング状況を指示するために使用される、前記ステップと、
前記端末機器が、前記第1の信号に基づいて前記端末機器の前記ページング状況を決定するステップと
を含む、信号受信方法。
【請求項１２】
前記第1の信号が前記端末機器のページング状況を指示するために使用されることが、
前記第1の信号が少なくとも1つの端末機器識別子に対応しており、前記第1の信号が前記少なくとも1つの端末機器識別子によって識別される少なくとも1つの端末機器のページング状況を指示するために使用されること、
を含み、
前記端末機器が、前記第1の信号に基づいて前記端末機器の前記ページング状況を決定する前記ステップが
前記端末機器が、前記第1の信号と前記端末機器を識別する端末機器識別子とに基づいて前記端末機器の前記ページング状況を決定するステップ
を含む、請求項11に記載の方法。
【請求項１３】
前記第1の信号が少なくとも1つの端末機器識別子に対応していることが、
前記第1の信号で搬送される元の情報が少なくとも1つの第1のビットグループを含み、各第1のビットグループが前記少なくとも1つの端末機器識別子内の1つの端末機器識別子に対応していること、
を含むか、または
前記第1の信号が少なくとも1つの端末機器識別子に対応しており、前記第1の信号が前記少なくとも1つの端末機器識別子によって識別される少なくとも1つの端末機器のページング状況を指示するために使用されることが、
前記第1の信号が第1のシーケンスであり、前記第1のシーケンスが、第1のシーケンスセット内にある、前記少なくとも1つの端末機器識別子によって識別される前記少なくとも1つの端末機器の実際のページング状況に対応しているシーケンスであり、前記第1のシーケンスセットが少なくとも1つのシーケンスを含み、各シーケンスが、前記少なくとも1つの端末機器識別子によって識別される前記少なくとも1つの端末機器の1つのページング状況を指示するために使用されること、
を含む、請求項12に記載の方法。
【請求項１４】
前記第1の信号がシステムメッセージ変更状況を指示するために使用される情報をさらに含む、請求項11から13のいずれか一項に記載の方法。
【請求項１５】
前記第1の信号がシステムメッセージ変更状況を指示するために使用される情報をさらに含むことが、
前記第1の信号で搬送される前記元の情報が少なくとも1つの第2のビットグループを含み、各第2のビットグループが1つのシステムメッセージ変更状況を指示するために使用されること、
を含むか、または
前記第1の信号が、前記端末機器の変更状況を指示するために使用される情報と、システムメッセージ変更状況を指示するために使用される情報とを含むことが、
前記第1の信号が第2のシーケンスであり、前記第2のシーケンスが、第2のシーケンスセット内にある、前記システムメッセージ変更状況と、前記少なくとも1つの端末機器識別子によって識別される前記少なくとも1つの端末機器の実際のページング状況とに対応しているシーケンスであり、前記第2のシーケンスセットが少なくとも1つのシーケンスを含み、各シーケンスが、1つのシステムメッセージ変更状況と、前記少なくとも1つの端末機器識別子によって識別される前記少なくとも1つの端末機器の1つのページング状況とを指示するために使用されること、
を含む、請求項14に記載の方法。
【請求項１６】
前記第1の信号が少なくとも1つの第1のサブ信号を含み、前記少なくとも1つの第1のサブ信号内の各第1のサブ信号が少なくとも1つの端末機器識別子グループに対応しており、前記端末機器識別子グループが少なくとも1つの端末機器識別子を含み、各第1のサブ信号が、前記第1のサブ信号に対応する前記少なくとも1つの端末機器識別子グループに含まれる端末機器識別子によって識別される端末機器のページング状況を指示するために使用される、請求項11または12に記載の方法。
【請求項１７】
前記第1のパラメータが、前記少なくとも1つの第1のサブ信号内の各第1のサブ信号に対応する前記少なくとも1つの端末機器識別子グループに含まれる前記少なくとも1つの端末機器識別子を含み、前記少なくとも1つの端末機器識別子グループに含まれる前記少なくとも1つの端末機器識別子が、前記少なくとも1つの端末機器識別子グループに対応する前記第1のサブ信号のリソース位置を指示するために使用される、請求項16に記載の方法。
【請求項１８】
前記第1のサブ信号が少なくとも1つの端末機器識別子グループに対応していることが、
前記第1のサブ信号で搬送される元の情報が少なくとも1つのビットグループを含み、各ビットグループが前記少なくとも1つの端末機器識別子グループに含まれる1つの端末機器識別子に対応していること、
を含むか、または
前記第1のサブ信号が少なくとも1つの端末機器識別子グループに対応しており、前記第1のサブ信号が、前記少なくとも1つの端末機器識別子グループに含まれる前記端末機器識別子によって識別される少なくとも1つの端末機器のページング状況を指示するために使用されることが、
前記第1のサブ信号がターゲットシーケンスであり、前記ターゲットシーケンスが、前記少なくとも1つの端末機器識別子グループに対応するシーケンスセット内にある、前記少なくとも1つの端末機器識別子グループに含まれる前記少なくとも1つの端末機器識別子によって識別される前記少なくとも1つの端末機器の実際のページング状況に対応しているシーケンスであり、前記シーケンスセットが少なくとも1つのシーケンスを含み、各シーケンスが、前記少なくとも1つの端末機器識別子グループに含まれる前記少なくとも1つの端末機器識別子によって識別される前記少なくとも1つの端末機器の1つのページング状況を指示するために使用されること、
を含む、請求項16または17に記載の方法。
【請求項１９】
前記第1の信号が少なくとも1つの第1のサブ信号を含み、前記第1の信号がシステムメッセージ変更状況を指示するために使用される情報をさらに含むことが、
前記少なくとも1つの第1のサブ信号内の各第1のサブ信号が、システムメッセージ変更状況を指示するために使用される前記情報をさらに含むこと、または
前記少なくとも1つの第1のサブ信号内のいくつかの第1のサブ信号が、システムメッセージ変更状況を指示するために使用される前記情報をさらに含むこと、
を含む、請求項18に記載の方法。
【請求項２０】
前記第1のパラメータが第1の信号のリソース位置を指示するために使用される情報を含むことが、
前記第1のパラメータが、時間リソース位置指示情報と周波数リソース位置指示情報の少なくとも一方を含むこと、
を含む、請求項11から19のいずれか一項に記載の方法。
【請求項２１】
第1のパラメータを決定するように構成された処理モジュールであって、前記第1のパラメータが第1の信号のリソース位置を指示するために使用される情報を含む、処理モジュールと、
システムメッセージおよび／または上位層シグナリングを使用して、端末機器に前記端末機器の前記処理モジュールによって決定された前記第1のパラメータの全部または一部を通知するように構成された、送信モジュールであって、
前記送信モジュールが、前記処理モジュールによって決定された前記第1のパラメータに基づいて前記端末機器に前記第1の信号を送信し、前記第1の信号が前記端末機器のページング状況を指示するために使用される、ように構成される、送信モジュールと
を含む、ネットワーク機器。
【請求項２２】
前記送信モジュールによって送信された前記第1の信号が前記端末機器のページング状況を指示するために使用されることが、
前記第1の信号が少なくとも1つの端末機器識別子に対応しており、前記第1の信号が前記少なくとも1つの端末機器識別子によって識別される少なくとも1つの端末機器のページング状況を指示するために使用されること、
を含む、請求項21に記載のネットワーク機器。
【請求項２３】
前記第1の信号が少なくとも1つの端末機器識別子に対応していることが、
前記第1の信号で搬送される元の情報が少なくとも1つの第1のビットグループを含み、各第1のビットグループが前記少なくとも1つの端末機器識別子内の1つの端末機器識別子に対応していること、
を含むか、または
前記第1の信号が少なくとも1つの端末機器識別子に対応しており、前記第1の信号が前記少なくとも1つの端末機器識別子によって識別される少なくとも1つの端末機器のページング状況を指示するために使用されることが、
前記第1の信号が第1のシーケンスであり、前記第1のシーケンスが、第1のシーケンスセット内にある、前記少なくとも1つの端末機器識別子によって識別される前記少なくとも1つの端末機器の実際のページング状況に対応しているシーケンスであり、前記第1のシーケンスセットが少なくとも1つのシーケンスを含み、各シーケンスが、前記少なくとも1つの端末機器識別子によって識別される前記少なくとも1つの端末機器の1つのページング状況を指示するために使用されること、
を含む、請求項22に記載のネットワーク機器。
【請求項２４】
前記送信モジュールによって送信された前記第1の信号がシステムメッセージ変更状況を指示するために使用される情報をさらに含む、請求項21から23のいずれか一項に記載のネットワーク機器。
【請求項２５】
前記第1の信号がシステムメッセージ変更状況を指示するために使用される情報をさらに含むことが、
前記第1の信号で搬送される前記元の情報が少なくとも1つの第2のビットグループを含み、各第2のビットグループが1つのシステムメッセージ変更状況を指示するために使用されること、
を含むか、または
前記第1の信号が、前記端末機器の変更状況を指示するために使用される情報と、システムメッセージ変更状況を指示するために使用される情報とを含むことが、
前記第1の信号が第2のシーケンスであり、前記第2のシーケンスが、第2のシーケンスセット内にある、前記システムメッセージ変更状況と、前記少なくとも1つの端末機器識別子によって識別される前記少なくとも1つの端末機器の実際のページング状況とに対応しているシーケンスであり、前記第2のシーケンスセットが少なくとも1つのシーケンスを含み、各シーケンスが、1つのシステムメッセージ変更状況と、前記少なくとも1つの端末機器識別子によって識別される前記少なくとも1つの端末機器の1つのページング状況とを指示するために使用されること、
を含む、請求項24に記載のネットワーク機器。
【請求項２６】
前記第1の信号が少なくとも1つの第1のサブ信号を含み、前記少なくとも1つの第1のサブ信号内の各第1のサブ信号が少なくとも1つの端末機器識別子グループに対応しており、前記端末機器識別子グループが少なくとも1つの端末機器識別子を含み、各第1のサブ信号が、前記第1のサブ信号に対応する前記少なくとも1つの端末機器識別子グループに含まれる端末機器識別子によって識別される端末機器のページング状況を指示するために使用される、請求項21または22に記載のネットワーク機器。
【請求項２７】
前記処理モジュールによって決定される前記第1のパラメータが、前記少なくとも1つの第1のサブ信号内の各第1のサブ信号に対応する前記少なくとも1つの端末機器識別子グループに含まれる前記少なくとも1つの端末機器識別子を含み、前記少なくとも1つの端末機器識別子グループに含まれる前記少なくとも1つの端末機器識別子が、前記少なくとも1つの端末機器識別子グループに対応する前記第1のサブ信号のリソース位置を指示するために使用される、請求項26に記載のネットワーク機器。
【請求項２８】
前記第1のサブ信号が少なくとも1つの端末機器識別子グループに対応していることが、
前記第1のサブ信号で搬送される元の情報が少なくとも1つのビットグループを含み、各ビットグループが前記少なくとも1つの端末機器識別子グループに含まれる1つの端末機器識別子に対応していること、
を含むか、または
前記第1のサブ信号が少なくとも1つの端末機器識別子グループに対応しており、前記第1のサブ信号が、前記少なくとも1つの端末機器識別子グループに含まれる前記端末機器識別子によって識別される少なくとも1つの端末機器のページング状況を指示するために使用されることが、
前記第1のサブ信号がターゲットシーケンスであり、前記ターゲットシーケンスが、前記少なくとも1つの端末機器識別子グループに対応するシーケンスセット内にある、前記少なくとも1つの端末機器識別子グループに含まれる前記少なくとも1つの端末機器識別子によって識別される前記少なくとも1つの端末機器の実際のページング状況に対応しているシーケンスであり、前記シーケンスセットが少なくとも1つのシーケンスを含み、各シーケンスが、前記少なくとも1つの端末機器識別子グループに含まれる前記少なくとも1つの端末機器識別子によって識別される前記少なくとも1つの端末機器の1つのページング状況を指示するために使用されること、
を含む、請求項26または27に記載のネットワーク機器。
【請求項２９】
前記第1の信号が少なくとも1つの第1のサブ信号を含み、前記第1の信号がシステムメッセージ変更状況を指示するために使用される情報をさらに含むことが、
前記少なくとも1つの第1のサブ信号内の各第1のサブ信号が、システムメッセージ変更状況を指示するために使用される前記情報をさらに含むこと、または
前記少なくとも1つの第1のサブ信号内のいくつかの第1のサブ信号が、システムメッセージ変更状況を指示するために使用される前記情報をさらに含むこと、
を含む、請求項28に記載のネットワーク機器。
【請求項３０】
前記第1のパラメータが第1の信号のリソース位置を指示するために使用される情報を含むことが、
前記第1のパラメータが、時間リソース位置指示情報と周波数リソース位置指示情報の少なくとも一方を含むこと、
を含む、請求項21から29のいずれか一項に記載のネットワーク機器。
【請求項３１】
端末機器であって、
前記決定された第1のパラメータの全部または一部を受信し、前記決定された第1のパラメータの前記全部または前記一部がネットワーク機器によってシステムメッセージおよび／または上位層シグナリングを使用して前記端末機器に通知され、前記第1のパラメータが第1の信号のリソース位置を指示するために使用される情報を含み、前記第1のパラメータに基づいて前記ネットワーク機器によって送信された前記第1の信号を受信し、前記第1の信号が前記端末機器のページング状況を指示するために使用される、ように構成された、受信モジュールと、
前記受信モジュールによって受信された前記第1の信号に基づいて前記端末機器の前記ページング状況を決定するように構成された、処理モジュールと
を含む、端末機器。
【請求項３２】
前記受信モジュールによって受信された前記第1のパラメータに含まれる前記第1の信号が前記端末機器のページング状況を指示するために使用されることが、
前記第1の信号が少なくとも1つの端末機器識別子に対応しており、前記第1の信号が前記少なくとも1つの端末機器識別子によって識別される少なくとも1つの端末機器のページング状況を指示するために使用されること、
を含み、
前記端末機器が、前記第1の信号に基づいて前記端末機器の前記ページング状況を決定する前記ことが
前記端末機器が、前記第1の信号と前記端末機器を識別する端末機器識別子とに基づいて前記端末機器の前記ページング状況を決定すること
を含む、請求項31に記載の端末機器。
【請求項３３】
前記受信モジュールによって受信された前記第1のパラメータに含まれる前記第1の信号が少なくとも1つの端末機器識別子に対応していることが、
前記第1の信号で搬送される元の情報が少なくとも1つの第1のビットグループを含み、各第1のビットグループが前記少なくとも1つの端末機器識別子内の1つの端末機器識別子に対応していること、
を含むか、または
前記第1の信号が少なくとも1つの端末機器識別子に対応しており、前記第1の信号が前記少なくとも1つの端末機器識別子によって識別される少なくとも1つの端末機器のページング状況を指示するために使用されることが、
前記第1の信号が第1のシーケンスであり、前記第1のシーケンスが、第1のシーケンスセット内にある、前記少なくとも1つの端末機器識別子によって識別される前記少なくとも1つの端末機器の実際のページング状況に対応しているシーケンスであり、前記第1のシーケンスセットが少なくとも1つのシーケンスを含み、各シーケンスが、前記少なくとも1つの端末機器識別子によって識別される前記少なくとも1つの端末機器の1つのページング状況を指示するために使用されること、
を含む、請求項32に記載の端末機器。
【請求項３４】
前記受信モジュールによって受信された前記第1のパラメータに含まれる前記第1の信号がシステムメッセージ変更状況を指示するために使用される情報をさらに含む、請求項31から33のいずれか一項に記載の端末機器。
【請求項３５】
前記受信モジュールによって受信された前記第1のパラメータに含まれる前記第1の信号がシステムメッセージ変更状況を指示するために使用される情報をさらに含むことが、
前記第1の信号で搬送される前記元の情報が少なくとも1つの第2のビットグループを含み、各第2のビットグループが1つのシステムメッセージ変更状況を指示するために使用されること、
を含むか、または
前記第1の信号が、前記端末機器の変更状況を指示するために使用される情報と、システムメッセージ変更状況を指示するために使用される情報とを含むことが、
前記第1の信号が第2のシーケンスであり、前記第2のシーケンスが、第2のシーケンスセット内にある、前記システムメッセージ変更状況と、前記少なくとも1つの端末機器識別子によって識別される前記少なくとも1つの端末機器の実際のページング状況とに対応しているシーケンスであり、前記第2のシーケンスセットが少なくとも1つのシーケンスを含み、各シーケンスが、1つのシステムメッセージ変更状況と、前記少なくとも1つの端末機器識別子によって識別される前記少なくとも1つの端末機器の1つのページング状況とを指示するために使用されること、
を含む、請求項34に記載の端末機器。
【請求項３６】
前記受信モジュールによって受信された前記第1のパラメータに含まれる前記第1の信号が少なくとも1つの第1のサブ信号を含み、前記少なくとも1つの第1のサブ信号内の各第1のサブ信号が少なくとも1つの端末機器識別子グループに対応しており、前記端末機器識別子グループが少なくとも1つの端末機器識別子を含み、各第1のサブ信号が、前記第1のサブ信号に対応する前記少なくとも1つの端末機器識別子グループに含まれる端末機器識別子によって識別される端末機器のページング状況を指示するために使用される、請求項31または32に記載の端末機器。
【請求項３７】
前記受信モジュールによって受信された前記第1のパラメータが、前記少なくとも1つの第1のサブ信号内の各第1のサブ信号に対応する前記少なくとも1つの端末機器識別子グループに含まれる前記少なくとも1つの端末機器識別子を含み、前記少なくとも1つの端末機器識別子グループに含まれる前記少なくとも1つの端末機器識別子が、前記少なくとも1つの端末機器識別子グループに対応する前記第1のサブ信号のリソース位置を指示するために使用される、請求項36に記載の端末機器。
【請求項３８】
前記第1のサブ信号が少なくとも1つの端末機器識別子グループに対応していることが、
前記第1のサブ信号で搬送される元の情報が少なくとも1つのビットグループを含み、各ビットグループが前記少なくとも1つの端末機器識別子グループに含まれる1つの端末機器識別子に対応していること、
を含むか、または
前記第1のサブ信号が少なくとも1つの端末機器識別子グループに対応しており、前記第1のサブ信号が、前記少なくとも1つの端末機器識別子グループに含まれる前記端末機器識別子によって識別される少なくとも1つの端末機器のページング状況を指示するために使用されることが、
前記第1のサブ信号がターゲットシーケンスであり、前記ターゲットシーケンスが、前記少なくとも1つの端末機器識別子グループに対応するシーケンスセット内にある、前記少なくとも1つの端末機器識別子グループに含まれる前記少なくとも1つの端末機器識別子によって識別される前記少なくとも1つの端末機器の実際のページング状況に対応しているシーケンスであり、前記シーケンスセットが少なくとも1つのシーケンスを含み、各シーケンスが、前記少なくとも1つの端末機器識別子グループに含まれる前記少なくとも1つの端末機器識別子によって識別される前記少なくとも1つの端末機器の1つのページング状況を指示するために使用されること、
を含む、請求項36または37に記載の端末機器。
【請求項３９】
前記第1の信号が少なくとも1つの第1のサブ信号を含み、前記第1の信号がシステムメッセージ変更状況を指示するために使用される情報をさらに含むことが、
前記少なくとも1つの第1のサブ信号内の各第1のサブ信号が、システムメッセージ変更状況を指示するために使用される前記情報をさらに含むこと、または
前記少なくとも1つの第1のサブ信号内のいくつかの第1のサブ信号が、システムメッセージ変更状況を指示するために使用される前記情報をさらに含むこと、
を含む、請求項38に記載の端末機器。
【請求項４０】
前記第1のパラメータが第1の信号のリソース位置を指示するために使用される情報を含むことが、
前記第1のパラメータが、時間リソース位置指示情報と周波数リソース位置指示情報の少なくとも一方を含むこと、
を含む、請求項31から39のいずれか一項に記載の端末機器。
【請求項４１】
請求項21から30のいずれか一項に記載のネットワーク機器と、請求項31から40のいずれか一項に記載の端末機器とを含む、通信システム。
【発明の詳細な説明】
【技術分野】
【０００１】
本出願は、無線通信技術の分野に関し、特に、信号伝送方法、機器、およびシステムに関する。
【背景技術】
【０００２】
現在、通信システムにおいては、サービスが送受信されることになっていないときに、端末機器は電力消費を削減するためにアイドルモードに入り得る。ネットワーク側機器がアイドルモードで端末機器にサービスを送信する必要があるか、または端末機器に何らかのサービスを報告するよう要求するとき、ネットワーク側機器は、サービスデータが正常に送信または受信され得るように、基地局を介して端末機器にページング（paging）指示メッセージを送信して、アイドルモードの端末機器に接続モードに入るよう命令し得る。
【０００３】
ネットワーク機器は、同じページング機会（Paging Occasion、PO）を有するすべての端末機器のためのページング指示を1つのページング指示メッセージに集約する。ページング指示は、ネットワーク機器が端末機器へのページングを開始するかどうかを指示するために使用される。物理下り共有チャネル（Physical Downlink Shared Channel、PDSCH）を介して端末機器にページング指示メッセージを送信する前に、ネットワーク機器は物理下り制御チャネル（Physical Downlink Control Channel、PDCCH）を介してPOにおいて端末機器にページング指示メッセージがPDSCH上に存在するかどうかを通知し、（ページング指示メッセージが存在する場合）ページング指示メッセージのスケジューリング情報を通知する必要がある。具体的には、以下の事例がある。事例1：ページング指示メッセージがPDSCH上に存在するとき、ネットワーク機器はPDCCHフォーマット1を使用してPDSCHをスケジュールする。端末機器が、POにおける監視によって、PDCCHフォーマットがPDCCHフォーマット1であることを取得すると、端末機器はPDSCHがページング指示メッセージデータパケットを含むと判断する。ページング指示メッセージデータパケットは、1つまたは複数の端末機器識別子を含む。ページング指示メッセージデータパケットを受信した後、端末機器はデータパケットが端末機器の端末機器識別子を含むかどうかを検出する。ページング指示メッセージデータパケットが端末機器の端末機器識別子を含むと判断した後、端末機器はネットワーク機器が端末機器をページングしていると判断し、次いで接続モードに入る。同じPOに対応する端末機器識別子は、ページング指示メッセージデータパケットに含まれる端末機器識別子を含むのみならず、他の端末機器識別子も含み得る。既存の狭帯域モノのインターネット（Narrow Band Internet of Things、NB−IoT）システムでは、極端なシナリオにおいて、1つのPOは最大4096個の端末機器識別子に対応するが、ページング指示メッセージデータパケットに含まれる端末機器識別子の数は4096よりはるかに少ない。しかしながら、ページング指示メッセージデータパケットに含まれない端末機器識別子によって識別される端末機器もまた、POにおける監視によって、PDCCHフォーマットがPDDCHフォーマット1であることを取得し、やはりPDSCH上に含まれるページング指示メッセージデータパケットを受信する。ページング指示メッセージデータパケットが端末機器の端末機器識別子を含まないと判断した後、端末機器はアイドルモードのままにとどまる。これはページングされない端末機器にとっての誤報であり、ページングされない端末機器の電力消費を増やす。事例2：ネットワーク機器がPOにおいてどの端末機器にもページング指示メッセージを送信しないとき、ネットワーク機器はPDCCHを介してPDSCHをスケジュールしない。しかしながら、POにある端末機器はそれでもなおPDCCHを監視するために起動し、失敗後に初めてPOにPDCCHが存在しないことを知り、次いでアイドルモードに入る。この場合もやはり電力消費が発生する。
【０００４】
加えて、同じPOを共有する端末機器は異なる環境に異なるカバレッジ条件で位置しており、したがってページング指示メッセージを受信する異なる能力を有する。ネットワーク機器は、PDCCHおよびページング指示メッセージを高度に繰り返し送信するので、すべての端末機器はPOにおいてPDCCHを受信し、PDSCH上でページング指示メッセージを受信することができる。しかしながら、端末機器が起動する都度、端末機器はPOにおいてPDCCHを監視する必要があり、事例1におけるPDSCH上のページング指示メッセージを読み取る必要がさらにある。したがって、端末機器の電力消費がきわめて大きくなり、端末機器内の電池の寿命に影響を与える。
【発明の概要】
【課題を解決するための手段】
【０００５】
本出願の実施形態は、端末機器がページング指示メッセージを取得するときに生じる電力消費を削減するために、信号伝送方法、機器、および通信システムを提供する。
【０００６】
第1の態様によれば、本出願の一実施形態は、信号送信方法を提供し、本方法は、
ネットワーク機器が、第1のパラメータを決定し、システムメッセージおよび／もしくは上位層シグナリングを使用して端末機器に決定された第1のパラメータの全部もしくは一部を通知するステップ、またはネットワーク機器が、第1のパラメータを決定するステップと、第1のパラメータに基づいて端末機器に第1の信号を送信するステップであって、第1の信号が端末機器のページング状況を指示するために使用され、第1のパラメータが第1の信号のリソース位置を指示するために使用される情報を含む、ステップと
を含む。
【０００７】
別の態様によれば、本出願の一実施形態は、信号受信方法を提供し、本方法は、
端末機器が、システムメッセージおよび／もしくは上位層シグナリングを使用して送信された第1のパラメータを受信するステップ、または端末機器が、システムメッセージおよび／もしくは上位層シグナリングを使用して送信された第1のパラメータの一部を受信し、第1のパラメータの受信された部分以外の第1のパラメータの残りの部分を決定するステップ、または端末機器が、第1のパラメータを決定するステップであって、
第1のパラメータが第1の信号のリソース位置を指示するために使用される情報を含む、ステップと、
第1のパラメータに基づいて端末機器が、ネットワーク機器によって送信された第1の信号を受信するステップであって、第1の信号が端末機器のページング状況を指示するために使用される、ステップと、
端末機器が、第1の信号に基づいて端末機器のページング状況を決定するステップと
を含む。
【０００８】
別の態様によれば、本出願の一実施形態は、処理モジュールと送信モジュールとを含むネットワーク機器を提供する。処理モジュールは第1のパラメータを決定するように構成され、第1のパラメータは第1の信号のリソース位置を指示するために使用される情報を含む。送信モジュールは、システムメッセージおよび／または上位層シグナリングを使用して端末機器に端末機器の処理モジュールによって決定された第1のパラメータの全部または一部を通知するように構成される。送信モジュールは、処理モジュールによって決定された第1のパラメータに基づいて端末機器に第1の信号を送信するようにさらに構成され、第1の信号は端末機器のページング状況を指示するために使用される。
【０００９】
別の態様によれば、本出願の一実施形態は、処理モジュールと送信モジュールとを含むネットワーク機器を提供する。処理モジュールは第1のパラメータを決定するように構成され、第1のパラメータは第1の信号のリソース位置を指示するために使用される情報を含む。送信モジュールは、処理モジュールによって決定された第1のパラメータに基づいて端末機器に第1の信号を送信し、第1の信号が端末機器のページング状況を指示するために使用される、ように構成される。
【００１０】
別の態様によれば、本出願の一実施形態は、受信モジュールと処理モジュールとを含む端末機器を提供する。受信モジュールは、決定された第1のパラメータの全部または一部を受信し、決定された第1のパラメータの全部または一部がネットワーク機器によってシステムメッセージおよび／または上位層シグナリングを使用して端末機器に通知され、第1のパラメータが第1の信号のリソース位置を指示するために使用される情報を含み、第1のパラメータに基づいてネットワーク機器によって送信された第1の信号を受信し、第1の信号が端末機器のページング状況を指示するために使用される、ように構成される。処理モジュールは、受信モジュールによって受信された第1の信号に基づいて端末機器のページング状況を決定するように構成される。
【００１１】
別の態様によれば、本出願の一実施形態は、処理モジュールと受信モジュールとを含む端末機器を提供する。処理モジュールは第1のパラメータを決定するように構成される。受信モジュールは、第1のパラメータに基づいてネットワーク機器によって送信された第1の信号を受信し、第1の信号が端末機器のページング状況を指示するために使用される、ように構成される。処理モジュールは、受信モジュールによって受信された第1の信号に基づいて端末機器のページング状況を決定するように構成される。
【００１２】
ネットワーク機器は第1のパラメータを使用して第1の信号を送信し、ネットワーク機器はシステムメッセージおよび／もしくは上位層シグナリングを使用して端末機器に第1のパラメータの全部もしくは一部を通知するか、または第1のパラメータはネットワーク機器と端末とで事前構成される。先行技術と比較して、ネットワーク機器が第1の信号を送信する方法により、端末が端末のページング状況を決定するためにPDCCHを監視する事例が回避される。したがって、端末機器の電力消費がある程度まで削減される。
【００１３】
本出願で提供される前述の実施形態では、1つの可能な設計において、第1の信号のリソース位置は、第1のパラメータのみを使用して決定され得るか、または第1のパラメータおよび別のパラメータを使用して決定され得る。
【００１４】
本出願で提供される前述の実施形態では、1つの可能な設計において、第1のパラメータは事前構成された情報に基づいて決定され得る。
【００１５】
本出願で提供される前述の実施形態では、1つの可能な設計において、第1の信号は少なくとも1つの端末機器識別子に対応しており、第1の信号は、少なくとも1つの端末機器識別子によって識別される少なくとも1つの端末機器のページング状況を指示するために使用される。第1の信号が端末機器識別子に対応しているので、端末機器は、端末機器識別子に基づいて第1の信号を受信し、端末機器のページング状況を決定し得る。これにより、第1の信号に基づいて端末機器が端末機器のページング状況を決定する際の効率が改善される。
【００１６】
本出願で提供される前述の実施形態では、1つの可能な設計において、第1の信号が少なくとも1つの端末機器識別子に対応している1つの可能な実施態様は、第1の信号で搬送される元の情報が少なくとも1つの第1のビットグループを含み、各第1のビットグループが少なくとも1つの端末機器識別子内の1つの端末機器識別子に対応していること、であり得る。
【００１７】
本出願で提供される前述の実施形態では、1つの可能な設計において、第1の信号が少なくとも1つの端末機器識別子に対応しているときに、第1の信号が、少なくとも1つの端末機器識別子によって識別される少なくとも1つの端末機器のページング状況を指示するために使用される1つの可能な実施態様は、第1の信号が第1のシーケンスであり、第1のシーケンスが、第1のシーケンスセット内にある、少なくとも1つの端末機器識別子によって識別される少なくとも1つの端末機器の実際のページング状況に対応しているシーケンスであり、第1のシーケンスセットが少なくとも1つのシーケンスを含み、各シーケンスが、少なくとも1つの端末機器識別子によって識別される少なくとも1つの端末機器の1つのページング状況を指示するために使用されること、である。
【００１８】
少なくとも1つの端末機器識別子によって識別される少なくとも1つの端末機器のページング状況は、シーケンスを使用して指示される。これにより、第1の信号に基づいて端末機器が端末機器のページング状況を決定する効率が改善され、端末機器が第1の信号を検出するときに生じる電力消費が削減される。
【００１９】
本出願で提供される前述の実施形態では、1つの可能な設計において、第1のシーケンスセット内の各シーケンスは、少なくとも1つの端末機器識別子によって識別される少なくとも1つの端末機器の1つのページング状況を指示するために使用され、各シーケンスは、少なくとも1つの端末機器識別子によって識別される少なくとも1つの端末機器の異なるページング状況を指示することを理解されたい。
【００２０】
例えば、第1のシーケンスは、1つまたは複数の直交周波数分割多重（Orthogonal Frequency Division Multiplexing、OFDM）シンボルを占有し得る。第1のシーケンスは1および／もしくは−1で構成されたシーケンスであってもよく、第1のシーケンスは、擬似ランダムシーケンス、ハードコード、離散フーリエ変換（Discrete Fourier Transform、DFT）シーケンス、もしくはWalshコードなどであるか、または前述のタイプのシーケンスのいくつかの要素で構成されたシーケンスであってもよく、第1のシーケンスは一般の複素数で構成されたシーケンスであってもよく、または第1のシーケンスはZCシーケンスなどであってもよい。
【００２１】
本出願で提供される前述の実施形態では、1つの可能な設計において、第1の信号はシステムメッセージ変更状況を指示するために使用される情報をさらに含む。
【００２２】
システムメッセージ変更状況に関する情報は第1の信号を使用して指示される。システムメッセージ変更状況に関する情報がPOを検出することによって決定される先行技術と比較して、これにより端末の電力消費が削減され、システムメッセージ変更状況を指示するために使用される情報を伝送する際の遅延が低減される。
【００２３】
本出願で提供される前述の実施形態では、1つの可能な設計において、第1の信号がシステムメッセージ変更状況を指示するために使用される情報をさらに含む1つの可能な実施態様は、
第1の信号で搬送される元の情報が少なくとも1つの第2のビットグループを含み、各第2のビットグループが1つのシステムメッセージ変更状況を指示するために使用されること、
である。
【００２４】
本出願で提供される前述の実施形態では、1つの可能な設計において、第1の信号が、端末機器の変更状況を指示するために使用される情報と、システムメッセージ変更状況を指示するために使用される情報とをさらに含む1つの可能な実施態様は、第1の信号が第2のシーケンスであり、第2のシーケンスが、第2のシーケンスセット内にある、システムメッセージ変更状況と、少なくとも1つの端末機器識別子によって識別される少なくとも1つの端末機器の実際のページング状況とに対応しているシーケンスであり、第2のシーケンスセットが少なくとも1つのシーケンスを含み、各シーケンスが、1つのシステムメッセージ変更状況と、少なくとも1つの端末機器識別子によって識別される少なくとも1つの端末機器の1つのページング状況を指示するために使用されること、である。
【００２５】
本出願で提供される前述の実施形態では、1つの可能な設計において、第1の信号は少なくとも1つの第1のサブ信号を含み、少なくとも1つの第1のサブ信号内の各第1のサブ信号は少なくとも1つの端末機器識別子グループに対応しており、端末機器識別子グループは少なくとも1つの端末機器識別子を含み、各第1のサブ信号は、各第1のサブ信号に対応する少なくとも1つの端末機器識別子グループに含まれる端末機器識別子によって識別される端末機器のページング状況を指示するために使用される。
【００２６】
この方法では、第1の信号内の異なる第1のサブ信号が異なる端末機器のページング状況を指示する。このようにして、第1の信号のページング指示機能が洗練されるので、端末機器は対応する第1のサブ信号のみを受信すればよい。これにより、端末機器の電力消費がさらに削減され、リソース利用度が高まる。
【００２７】
本出願で提供される前述の実施形態では、1つの可能な設計において、第1のパラメータは、少なくとも1つの第1のサブ信号内の各第1のサブ信号に対応する少なくとも1つの端末機器識別子グループに含まれる少なくとも1つの端末機器識別子を含み、少なくとも1つの端末機器識別子グループに含まれる少なくとも1つの端末機器識別子は、少なくとも1つの端末機器識別子グループに対応する第1のサブ信号のリソース位置を指示するために使用される。
【００２８】
本出願で提供される前述の実施形態では、1つの可能な設計において、第1のサブ信号が少なくとも1つの端末機器識別子グループに対応している1つの可能な実施態様は、第1のサブ信号で搬送される元の情報が少なくとも1つの第1のビットグループを含み、各第1のビットグループが少なくとも1つの端末機器識別子グループに含まれる1つの端末機器識別子に対応していること、である。
【００２９】
本出願で提供される前述の実施形態では、1つの可能な設計において、第1のサブ信号が少なくとも1つの端末機器識別子グループに対応しているときに、第1のサブ信号が、少なくとも1つの端末機器識別子グループに含まれる端末機器識別子によって識別される少なくとも1つの端末機器のページング状況を指示するために使用される1つの可能な実施態様は、
第1のサブ信号がターゲットシーケンスであり、ターゲットシーケンスが、少なくとも1つの端末機器識別子グループに対応するシーケンスセット内にある、少なくとも1つの端末機器識別子グループに含まれる少なくとも1つの端末機器識別子によって識別される少なくとも1つの端末機器の実際のページング状況に対応しているシーケンスであり、シーケンスセットが少なくとも1つのシーケンスを含み、1つのシーケンスが、少なくとも1つの端末機器識別子グループに含まれる少なくとも1つの端末機器識別子によって識別される少なくとも1つの端末機器の1つのページング状況を指示するために使用されること、
である。
【００３０】
具体的には、この可能な実施態様では、少なくとも1つの端末機器識別子グループは第1のサブ信号に対応する少なくとも1つの端末機器識別子グループであり、第1のサブ信号に対応する少なくとも1つの端末機器識別子グループの各々は1つのシーケンスセットに対応している。
【００３１】
本出願で提供される前述の実施形態では、1つの可能な設計において、第1の信号が少なくとも1つの第1のサブ信号を含むときに、第1の信号がシステムメッセージ変更状況を指示するために使用される情報をさらに含む1つの可能な実施態様は、
本出願で提供される前述の実施形態では、1つの可能な設計において、少なくとも1つの第1のサブ信号内の各第1のサブ信号が、システムメッセージ変更状況を指示するために使用される情報をさらに含むこと、
である。
【００３２】
本出願で提供される前述の実施形態では、1つの可能な設計において、第1の信号が少なくとも1つの第1のサブ信号を含むときに、第1の信号がシステムメッセージ変更状況を指示するために使用される情報をさらに含む別の可能な実施態様は、
少なくとも1つの第1のサブ信号内のいくつかの第1のサブ信号が、システムメッセージ変更状況を指示するために使用される情報をさらに含むこと、
である。
【００３３】
具体的な実施に際して、第1のサブ信号がシステムメッセージ変更状況を指示するために使用される情報をさらに含む1つの可能な実施態様は、第1の信号がシステムメッセージ変更状況を指示するために使用される情報を含む1つの可能な実施態様と同様であることに留意されたく、ここでは詳細を述べない。
【００３４】
本出願で提供される前述の実施形態では、1つの可能な設計において、第1のパラメータが第1の信号のリソース位置を指示するために使用される情報を含む1つの可能な実施態様は、
第1のパラメータが、時間リソース位置指示情報と周波数リソース位置指示情報の少なくとも一方を含むこと、
である。
【００３５】
加えて、第1のパラメータは、第1の信号のリソース位置を指示するために使用される指示情報以外の他の指示情報をさらに含んでいてもよく、例えば、端末機器識別子、変調符号化方式指示情報、信号長／信号サイズ指示情報、カバレッジレベル指示情報、繰り返し数指示情報、および第1の信号と端末機器識別子との間の対応規則の指示情報、のうちの少なくとも1つを含み得る。
【００３６】
本出願で提供される前述の実施形態では、1つの可能な設計において、第1の信号のリソース位置は、第1のパラメータのみを使用して決定され得るか、または第1のパラメータおよび別のパラメータを使用して決定され得る。
【００３７】
本出願で提供される前述の実施形態では、1つの可能な設計において、第1の信号が端末機器のページング状況を指示するために使用される1つの可能な実施態様は、第1の信号が少なくとも1つの端末機器識別子に対応しており、第1の信号が少なくとも1つの端末機器識別子によって識別される少なくとも1つの端末機器のページング状況を指示するために使用される場合、端末機器が、第1の信号と端末機器を識別する端末機器識別子とに基づいて端末機器のページング状況を決定すること、である。
【００３８】
第1の信号は端末機器識別子に対応しており、したがって端末機器は、第1の信号を受信した後に端末機器識別子に基づいて端末機器のページング状況を決定することができる。これにより、第1の信号に基づいて端末機器が端末機器のページング状況を決定する際の効率が改善される。
【００３９】
加えて、前述の各実施形態では、処理モジュールに対応するエンティティデバイスがプロセッサであってもよく、送信モジュールに対応するエンティティデバイスが送信機であってもよく、受信モジュールに対応するエンティティデバイスが受信機であってもよい。
【００４０】
別の態様によれば、本出願の一実施形態は、前述の態様に記載される端末機器とネットワーク機器とを含む、通信システムを提供する。
【００４１】
別の態様によれば、本発明の一実施形態は、前述の基地局によって使用されるコンピュータソフトウェア命令を格納するように構成された、コンピュータ記憶媒体を提供する。コンピュータソフトウェア命令は、前述の態様を行うように設計されたプログラムを含む。
【００４２】
別の態様によれば、本発明の一実施形態は、前述のUEによって使用されるコンピュータソフトウェア命令を格納するように構成された、コンピュータ記憶媒体を提供する。コンピュータソフトウェア命令は、前述の態様を行うように設計されたプログラムを含む。
【図面の簡単な説明】
【００４３】
【図１ａ】本出願の一実施形態による信号伝送方法の概略図流れ図である。
【図１ｂ】本出願の一実施形態による信号伝送方法の概略図流れ図である。
【図１ｃ】本出願の一実施形態による信号伝送方法の概略図流れ図である。
【図２ａ】本出願の一実施形態による第1の信号の送信の概略図である。
【図２ｂ】本出願の一実施形態による第1の信号の送信の概略図である。
【図２ｃ】本出願の一実施形態による第1の信号の送信の概略図である。
【図３】本出願の一実施形態によるサブフレームを使用した第1の信号の送信の概略図である。
【図４】本出願の一実施形態による第1のサブ信号を送信するために使用されるリソース位置の概略図である。
【図５ａ】本出願の一実施形態による第1のサブ信号を送信するために使用されるリソース位置の概略図である。
【図５ｂ】本出願の一実施形態による第1のサブ信号を送信するために使用されるリソース位置の概略図である。
【図６ａ】本出願の一実施形態による第1のサブ信号を送信するために使用されるリソース位置の異なる事例の概略図である。
【図６ｂ】本出願の一実施形態による第1のサブ信号を送信するために使用されるリソース位置の異なる事例の概略図である。
【図６ｃ】本出願の一実施形態による第1のサブ信号を送信するために使用されるリソース位置の異なる事例の概略図である。
【図７ａ】本出願の一実施形態による第1の信号を送信するために使用されるリソース位置の異なる事例の概略図である。
【図７ｂ】本出願の一実施形態による第1の信号を送信するために使用されるリソース位置の異なる事例の概略図である。
【図８ａ】本出願の一実施形態による基地局の概略的構造図である。
【図８ｂ】本出願の一実施形態による基地局のハードウェアの概略的構造図である。
【図９ａ】本出願の一実施形態による基地局の概略的構造図である。
【図９ｂ】本出願の一実施形態による基地局のハードウェアの概略的構造図である。
【図１０ａ】本出願の一実施形態による端末機器の概略的構造図である。
【図１０ｂ】本出願の一実施形態による端末機器のハードウェアの概略的構造図である。
【図１１ａ】本出願の一実施形態による端末機器の概略的構造図である。
【図１１ｂ】本出願の一実施形態による端末機器のハードウェアの概略的構造図である。
【図１２】本出願の一実施形態による通信システムの概略的構造図である。
【図１３】本出願の一実施形態による通信システムの概略的構造図である。
【発明を実施するための形態】
【００４４】
本出願の実施形態における「および／または」という用語は、関連付けられる対象を記述する場合の結合関係を記述するにすぎず、3つの関係が存在し得ることを指示する。例えば、Aおよび／またはBは、Aのみが存在する、AとBの両方が存在する、Bのみが存在する、という3つの場合を指示し得る。加えて、本出願の実施形態における「／」という文字は一般に、関連付けられる対象間の「または」の関係を指示する。
【００４５】
以下で、本明細書の図面に関連して本出願の実施形態を詳細にさらに説明する。
【００４６】
本出願の実施形態におけるページング方法は、NB−IoTシステムなどのロングタームエボリューション（Long Term Evolution、LTE）システムに適用可能であることを理解されたい。加えて、本出願の実施形態におけるページング方法は、グローバル・システム・フォー・モバイル・コミュニケーションズ（Global System for Mobile Communication、GSM（登録商標））、ユニバーサル・モバイル・テレコミュニケーション・システム（Universal Mobile Telecommunications System、UMTS）、符号分割多元接続（Code Division Multiple Access、CDMA）システム、新しいネットワークシステムなどの他の無線通信システムにも適用可能であり得る。
【００４７】
本出願の実施形態における基地局は、受信された無線フレームとインターネットプロトコル（Internet Protocol、IP）パケットとの間の相互変換を行い、無線端末機器とアクセスネットワークの残りの部分との間のルータとして働き、アクセスネットワークの残りの部分がIPネットワークを含み得る、ように構成され得る。加えて、本出願の実施形態における基地局は、エアインターフェースの属性管理をさらに調整し得る。例えば、本出願の実施形態における基地局は、グローバル・システム・フォー・モバイル・コミュニケーションズ（Global System for Mobile communications、GSM（登録商標））または符号分割多元接続（Code Division Multiple Access、CDMA）における基地局（Base Transceiver Station、BTS）であり得るか、広帯域符号分割多元接続（Wideband Code Division Multiple Access、WCDMA（登録商標））におけるノードB（NodeB）であり得るか、またはLTEにおける進化型ノードB（evolutional Node B、eNB、もしくはe−NodeB）であり得る。これについては本出願の実施形態では限定されない。
【００４８】
本出願の実施形態における端末機器は、ユーザに音声および／もしくはデータ接続を提供する機器、無線接続機能を備えるハンドヘルドデバイス、または無線モデムに接続された別の処理装置であり得る。端末機器は代替として無線端末機器であってもよい。無線端末機器は無線アクセスネットワーク（Radio Access Network、RAN）を使用して1つまたは複数のコアネットワークと通信し得る。無線端末機器は、携帯電話（「セルラー」電話ともいう）や移動端末機器を備えたコンピュータなどの移動端末機器であり得る。移動端末機器を備えたコンピュータは、例えば、無線アクセスネットワークと音声および／またはデータをやりとりする、携帯型、ポケットサイズ、ハンドヘルド型、コンピュータ内蔵型、または車載式のモバイル装置であり得る。例えば、無線端末機器は代替として、パーソナル通信サービス（Personal Communication Service、PCS）電話、コードレス電話機、セッション開始プロトコル（Session Initiation Protocol、SIP）電話、ワイヤレスローカルループ（Wireless Local Loop、WLL）局、パーソナルデジタルアシスタント（Personal Digital Assistant、PDA）などの機器であり得る。無線端末機器は、システム、加入者ユニット（Subscriber Unit）、加入者局（Subscriber Station）、移動局（Mobile Station）、移動コンソール（Mobile）、リモート局（Remote Station）、アクセスポイント（Access Point）、リモート端末（Remote Terminal）、アクセス端末（Access Terminal）、ユーザ端末（User Terminal）、ユーザエージェント（User Agent）、ユーザデバイス（User Device）、ユーザ機器（User Equipment、UE）などとも呼ばれ得る。
【００４９】
本発明の実施形態におけるネットワーク機器は、基地局もしくはアクセスポイントであり得るか、またはアクセスネットワーク内にあり、エアインターフェース上で、1つもしくは複数のセクタを使用して無線端末と通信する機器であり得る。基地局は、受信された無線フレームとIPパケットとの間の相互変換を行い、無線端末とアクセスネットワークの残りの部分との間のルータとして働き、アクセスネットワークの残りの部分がインターネットプロトコル（IP）ネットワークを含み得る、ように構成され得る。また基地局はエアインターフェースの属性管理を調整し得る。例えば、基地局は、GSM（登録商標）またはCDMAにおける基地局（BTS、Base Transceiver Station）であり得るか、WCDMA（登録商標）におけるノードB（NodeB）であり得るか、またはLTEにおける進化型ノードB（eNB、もしくはe−NodeB、evolutional Node B）であり得る。これについては本出願では限定されない。
【００５０】
説明を容易にするために、本発明の実施形態におけるネットワーク機器を、基地局を例にとって説明する。これは本発明の実施形態における一例にすぎず、本発明はこれに限定されない。
【００５１】
本出願の実施形態では、第1のパラメータを決定した後、基地局が、システムメッセージおよび／もしくは上位層シグナリングを使用して端末機器に第1のパラメータの一部もしくは全部を通知するか、または第1のパラメータが基地局と端末機器とで事前構成されるので、基地局が第1のパラメータに基づいて端末機器に第1の信号を送信した後、端末機器は第1のパラメータに基づいて第1の信号を直接受信し、第1の信号に基づいて端末機器のページング状況を決定することができる。先行技術のページング機構と比較して、端末機器は起動後にその都度ページング指示メッセージをスケジュールするために使用されるPDCCHを監視する必要がない。したがって、端末機器がページング指示メッセージを取得するときに生じる電力消費がある程度まで削減され、端末機器内の電池の寿命が延びる。
【００５２】
システムメッセージは通常、ブロードキャストチャネルを介して送信されることを理解されたい。システムメッセージは比較的長い期間変化しない。したがって、基地局がシステムメッセージを使用して端末機器に第1のパラメータを通知するときに、端末機器は、第1のパラメータを更新するために第1の信号を受信する前にその都度ブロードキャストチャネルを監視する必要はない。
【００５３】
システムメッセージおよび／または上位層シグナリングを使用して端末に第1のパラメータが通知されるときに、図1aに示されるように、本出願の一実施形態による信号伝送方法は以下のステップを含む。
【００５４】
ステップ100a：基地局が第1のパラメータを決定し、第1のパラメータは第1の信号のリソース位置を指示するために使用される情報を含む。
【００５５】
ステップ110a：基地局がシステムメッセージおよび／または上位層シグナリングを使用して端末機器に決定された第1のパラメータを送信する。
【００５６】
ステップ120a：基地局が第1のパラメータに基づいて端末機器に第1の信号を送信し、第1の信号は端末機器のページング状況を指示するために使用される。
【００５７】
ステップ130a：端末機器がシステムメッセージおよび／または上位層シグナリングを使用して基地局によって送信された第1のパラメータを受信する。
【００５８】
ステップ140a：端末機器が第1のパラメータに基づいて第1の信号を受信する。
【００５９】
ステップ150a：端末機器が第1の信号に基づいて端末機器のページング状況を決定する。
【００６０】
ステップ120aおよびステップ110aを行うための順序はないことを特に強調しておく。
【００６１】
図1aに示される信号伝送方法では、第1のパラメータはシステムメッセージおよび／または上位層シグナリングを使用して端末機器に通知される。具体的な実施に際して、基地局はシステムメッセージを使用して端末機器に第1のパラメータを通知し得る。例えば、基地局は、マスタ情報ブロック（Master Information Block、MIB）を使用して端末機器に第1のパラメータ内の情報の一部を通知し、システム情報ブロック（System Information Block、SIB）を使用して端末機器に第1のパラメータ内の情報の残りの部分を通知し得る。あるいは、基地局はSIBまたはMIBを使用して端末機器に第1のパラメータを通知し得る。あるいは、基地局は上位層シグナリングを使用して端末機器に第1のパラメータを通知してもよく、上位層シグナリングは、例えば、無線リソース制御（Radio Resource Control、RRC）シグナリングや上位層における別のタイプのシグナリングである。あるいは、基地局は、システムメッセージを使用して端末機器に第1のパラメータ内の情報の一部を通知し、上位層シグナリングを使用して端末機器に第1のパラメータ内の情報の残りの部分を通知してもよい。本出願の本実施形態では、第1のパラメータが端末機器に通知されるために2つの部分に分割されることだけに限定されず、すなわち、第1のパラメータは代替として、端末機器に通知されるために複数の部分に分割されてもよい。当然ながら、具体的な実施に際して、第1のパラメータは、システムメッセージを使用して1度端末機器に通知され、上位層シグナリングを使用して再度端末機器に通知されてもよい。これについては本明細書では限定されない。
【００６２】
加えて、基地局は、事前構成された情報に基づき、端末と事前に同意されたポリシーに従って第1のパラメータを決定してもよい。
【００６３】
ステップ120aで、基地局は第1のパラメータに基づいて端末機器に第1の信号を送信する。例えば、第1の信号を決定した後、基地局は第1のパラメータに基づいて端末機器に第1の信号を送信する。基地局は端末機器の実際のページング状況に基づいて第1の信号を決定し得ることを理解されたい。
【００６４】
図1bに示されるように、本出願の一実施形態は信号伝送方法を提供し、本方法は以下のステップを含む。
【００６５】
ステップ100b：基地局が第1のパラメータを決定し、第1のパラメータは第1の信号のリソース位置を指示するために使用される情報を含む。
【００６６】
ステップ110b：基地局が第1のパラメータに基づいて端末機器に第1の信号を送信し、第1の信号は端末機器のページング状況を指示するために使用される。
【００６７】
ステップ120b：端末機器が第1のパラメータを決定する。
【００６８】
ステップ130b：端末機器が第1のパラメータに基づいて第1の信号を受信する。
【００６９】
ステップ140b：端末機器が第1の信号に基づいて端末機器のページング状況を決定する。
【００７０】
図1bに示される信号伝送方法では、ステップ120bがステップ100bおよびステップ110bの前に行われてもよく、ステップ100b、ステップ110b、およびステップ120bを行うための順序はここでは限定されないことを理解されたい。
【００７１】
例えば、基地局と端末機器とは、事前構成された情報に基づき、同じポリシーに従って第1のパラメータを別々に決定してもよい。例えば、第1のパラメータは、基地局と端末機器とで事前構成され得る。
【００７２】
例えば、事前構成された情報は端末機器識別子であり得る。基地局上には様々な端末機器識別子が格納され、端末機器上には端末機器の端末機器識別子が通常格納されるので、第1のパラメータの計算ポリシーが基地局と端末機器との間で事前に同意されれば、基地局と端末機器とが第1のパラメータを別々に決定してもよく、基地局が端末機器に第1のパラメータを送信する必要はない。
【００７３】
例えば、第1のパラメータは基地局と端末機器とで事前構成される。基地局が端末機器に第1の信号を送信する必要があるときに、基地局は構成済みのパラメータ内の第1のパラメータを探索して決定してもよく、次いで基地局は第1のパラメータに基づいて第1の信号を送信する。端末機器が基地局によって送信された第1の信号を受信する必要があるときに、端末は構成済みのパラメータ内の第1のパラメータを探索して決定してもよく、端末は第1のパラメータに基づいて第1の信号を受信する。
【００７４】
図1cに示されるように、本出願の一実施形態は信号伝送方法を提供し、本方法は以下のステップを含む。
【００７５】
ステップ100c：基地局が第1のパラメータを決定し、第1のパラメータは第1の信号のリソース位置を指示するために使用される情報を含む。
【００７６】
ステップ110c：基地局がシステムメッセージおよび／または上位層シグナリングを使用して端末に第1のパラメータの一部を送信する。
【００７７】
ステップ120c：基地局が第1のパラメータに基づいて端末機器に第1の信号を送信し、第1の信号は端末機器のページング状況を指示するために使用される。
【００７８】
ステップ130c：端末機器がシステムメッセージおよび／または上位層シグナリングを使用して基地局によって送信された第1のパラメータの一部を受信し、システムメッセージおよび／または上位層シグナリングを使用して基地局によって送信された第1のパラメータの受信された部分以外の第1のパラメータの残りの部分を決定する。
【００７９】
ステップ140c：端末機器が第1のパラメータに基づいて第1の信号を受信する。
【００８０】
ステップ150c：端末機器が第1の信号に基づいて端末機器のページング状況を決定する。
【００８１】
ステップ100cで、基地局は第1のパラメータを決定し、構成情報に基づき、事前設定ポリシーに従って第1のパラメータの一部を決定し得る。第1のパラメータの残りの部分は端末機器と基地局とで事前構成され、計算される必要はない。
【００８２】
端末機器が、第1のパラメータの一部がシステムメッセージおよび／または上位層シグナリングを使用して端末機器に通知されることを決定する、図1cに示される方法は、第1のパラメータがシステムメッセージおよび／または上位層シグナリングを使用して端末機器に通知される、図1bに示される方法と同様であってもよく、ここでは詳細を述べない。
【００８３】
加えて、図1aから図1cに示される信号伝送方法では、端末機器のページング状況は、基地局が端末機器をページングするかどうかを指し得る。例えば、基地局が端末機器をページングするときに、第1の信号は、端末機器が基地局によってページングされることを指示するために使用され、基地局が端末機器をページングしないときに、第1の信号は、端末機器が基地局によってページングされないことを指示するために使用される。加えて、第1の信号では、いくつかの端末機器識別子を指示するために使用されるいくつかの信号がそれらの信号に対応するリソース位置で欠如していてもよく、これにより端末機器識別子によって識別される端末機器が基地局によってページングされないことを指示する。
【００８４】
図1aから図1cに示される信号伝送方法では、第1のパラメータは第1の信号のリソース位置を決定するために使用されるパラメータを含み得ることに留意されたい。例えば、第1のパラメータは、時間リソース位置指示情報または周波数リソース位置指示情報の少なくとも一方を含み得る。時間リソース位置指示情報は第1の信号の時間領域リソースを決定するために使用され、1つまたは複数の指示情報を含み得る。周波数リソース位置指示情報は第1の信号の周波数領域リソースを決定するために使用され、やはり1つまたは複数の指示情報を含み得る。具体的には、1つの可能な実施方法において、第1の信号は周期的に送信されてもよく、この場合、時間リソース位置指示情報は、第1の信号の送信周期を指示するために使用される周期指示情報を含み得る。あるいは、時間リソース位置指示情報は、1つの周期における第1の信号の相対リソース位置を指示するために使用される周期的オフセット指示パラメータを含み得る。別の可能な実施方法において、第1の信号は各間欠受信（Discontinuous Reception、DRX）周期で送信されるか、またはいくつかのDRX周期で送信され、この場合、時間リソース位置指示情報は、DRX周期における第1の信号のリソース位置を指示するために使用される指示情報を含む。例えば、第1の信号が1つのDRX周期で周期的に送信されるときに、時間リソース位置指示情報は、DRX周期における第1の信号の送信周期を指示するために使用される指示情報、DRX周期において第1の信号によって占有される連続したリソースブロックの数を指示するために使用される指示情報、およびDRX周期において第1の信号によって占有される連続したリソースブロックのサイズを指示するために使用される指示情報、のうちの少なくとも1つを含む。DRX周期における第1の信号のリソース位置は少なくとも1つの連続したリソースブロックを含み得る。例えば、連続したリソースブロックは、少なくとも1つのOFDMシンボル、少なくとも1つのスロット、少なくとも1つサブフレーム、少なくとも1つの無線フレームなどであり得る。さらに別の可能な実施方法において、第1の信号は少なくとも1つの搬送波で送信されてもよく、この場合、周波数領域リソース位置指示情報は、少なくとも1つの搬送波の搬送波識別子または
搬送波周波数を指示するために使用される指示情報を含む。例えば、1つの搬送波が周波数領域において180kHzの帯域幅であり、搬送波識別子は搬送波の相対／絶対数または特定の規則に従って決定された数などであり得る。
【００８５】
本出願の本実施形態におけるあらゆるタイプの指示情報はただ1つの指示パラメータを含むことに限定されず、すなわち、1つの指示情報は少なくとも1つの指示パラメータを含み得る。例えば、少なくとも1つの搬送波の搬送波識別子または搬送波周波数を指示するために使用される指示情報は、複数の搬送波識別子または複数の搬送波周波数を含み得る。別のタイプの指示情報もそのような同様の特徴をサポートし、ここでは詳細を述べない。
【００８６】
1つの可能な実施方法において、第1のパラメータは、第1の信号のリソース位置を指示するために使用される指示情報以外の他の指示情報をさらに含んでいてもよく、例えば、端末機器識別子、変調符号化方式指示情報、信号長／信号サイズ指示情報、カバレッジレベル指示情報、繰り返し数指示情報、および第1の信号と端末機器識別子との間の対応規則の指示情報、のうちの少なくとも1つを含み得る。変調符号化方式指示情報は、第1の信号の変調方式および／もしくはビットレートまたは第1の信号内のいくつかの信号の変調方式および／もしくはビットレートを指示するために使用される。信号長／信号サイズ指示情報は、第1の信号の信号持続時間および／もしくは信号パケットサイズまたは第1の信号内のいくつかの信号の信号持続時間および／もしくは信号パケットサイズを指示するために使用される。カバレッジレベル指示情報は、第1の信号のカバレッジレベルもしくは第1の信号内のいくつかの信号のカバレッジレベル、またはカバレッジレベルと同等の別のパラメータ（最大繰り返し数など）を指示するために使用される。繰り返し数指示情報は、第1の信号の繰り返し数または第1の信号内のいくつかの信号の繰り返し数を指示するために使用される。第1の信号と端末機器識別子との間の対応規則の指示情報は、第1の信号または第1の信号内のいくつかの信号と端末機器識別子との間の対応規則を指示するために使用され、対応規則は信号コンテンツと信号リソース位置の少なくとも一方を含み得る。
【００８７】
例えば、本出願の本実施形態では、第1の信号のリソース位置は、第1のパラメータのみを使用して決定され得る。
【００８８】
以下で第1の信号が端末機器のページング状況をどのように指示するかを具体的に説明し、第1の信号が端末機器のページング状況を指示するために使用され得る以下の方法は、図1aおよび図1bに示される信号伝送方法に適用可能である。
【００８９】
第1の信号に基づく端末機器による端末機器のページング状況の決定を容易にするために、第1の信号は端末機器識別子に対応しており、第1の信号は端末機器識別子によって識別される少なくとも1つの端末機器のページング状況を指示するために使用される。第1の信号は1つの端末機器識別子に対応していてもよく、または第1の信号は複数の端末機器識別子に対応していてもよいことに留意されたい。
【００９０】
実施形態1
第1の信号は、図2aに示されるようにDRXの間隔で1回送信されてもよく、図2bに示されるようにeDRXの間隔で1回送信されてもよく、または図2cに示されるように事前設定持続時間の間隔で1回送信されてもよい。事前設定持続時間は事前設定され、第1の信号のために基地局によって独立して構成される持続時間であり、複数の第1の信号内の2つの隣接した第1の信号ごとの間隔持続時間は同じかまたは異なっていてもよく、例えば、図2cに示されるT1とT2とは同じかまたは異なり得る。
【００９１】
第1の信号が少なくとも1つの端末機器識別子に対応しているときに、1つの可能な実施態様は、
第1の信号で搬送される元の情報が少なくとも1つの第1のビットグループを含み、各第1のビットグループが少なくとも1つの端末機器識別子内の1つの端末機器識別子に対応していること、
である。
【００９２】
この可能な実施態様では、少なくとも1つの第1のビットグループ内の各第1のビットグループは少なくとも1ビットを含む。例えば、第1の信号で搬送される元の情報は3つの第1のビットグループ、すなわち、第1のビットグループ1、第1のビットグループ2、および第1のビットグループ3を含む。第1のビットグループ1を例にとる。第1のビットグループ1は1ビットを含み得るか、または複数のビットを含み得る。第1のビットグループ1、第1のビットグループ2、および第1のビットグループ3に含まれるビット数は同じかまたは異なり得ることに留意されたい。例えば、第1のビットグループ1は1ビットを含み、第1のビットグループ2は3ビットを含み、第1のビットグループ3は3ビットを含む。
【００９３】
元の情報はビット形式で表され、元の情報は第1の信号を形成するように符号化され、変調されることを理解されたい。
【００９４】
1つの可能な実施態様では、1つの端末機器識別子を表すために1つの第1のビットグループが使用される。例えば、第1の信号で搬送される元の情報が3つの第1のビットグループを含むときに、1つの第1のビットグループが端末機器識別子1の2進表現であり、1つの第1のビットグループが端末機器識別子2の2進表現であり、1つの第1のビットグループが端末機器識別子3の2進表現である場合、第1の信号は、端末機器識別子1によって識別される端末機器、端末機器識別子2によって識別される端末機器、および端末機器識別子3によって識別される端末機器が基地局によってページングされるかまたは基地局によってページングされないことを指示するために使用される。加えて、別の可能な実施態様では、第1のビットグループは代替として1ビットのみを含んでいてもよく、各第1のビットグループは1つの端末機器識別子に対応している。例えば、第1の信号がN個の端末機器識別子に対応しているときに、第1の信号で搬送される元の情報はN個の第1のビットグループを含み、各第1のビットグループは1つの端末機器識別子に対応しており、各第1のビットグループは異なる端末機器識別子に対応している。例えば、N個の第1のビットグループ内の第1のビットグループが端末機器識別子1に対応しており、第1のビットグループがただ1つのビット1を含むとき、それは端末機器識別子1によって識別される端末機器が基地局によってページングされることを指示する。N個の第1のビットグループ内の別の第1のビットグループが端末機器識別子2に対応しており、第1のビットグループがただ1つのビット0を含むとき、それは端末機器識別子2によって識別される端末機器が基地局によってページングされないことを指示する。別の可能な例では、N個の第1のビットグループ内の別の第1のビットグループが端末機器識別子2に対応しており、端末機器識別子2によって識別される端末機器が基地局によってページングされないとき、端末機器識別子2に対応する第1のビットグループは空であり得る、すなわち、ビット情報がない。本出願の本実施形態では、第1のビットグループ内の具体的なビット数は限定されない。
【００９５】
図3に示されるように、第1の信号を送信するためにサブフレームが使用される。第1の信号はM個のビットグループを含み、各ビットグループは1ビットを含む。したがって、各ビットグループが1つの端末機器識別子に対応している場合、サブフレーム内の第1の信号を、最大26個の端末機器識別子によって識別される端末機器のページング状況を指示するために使用することができる。
【００９６】
別の可能な実施態様において、第1の信号は第1のシーケンスであり、第1のシーケンスは、第1のシーケンスセット内にある、少なくとも1つの端末機器識別子によって識別される少なくとも1つの端末機器の実際のページング状況に対応しているシーケンスであり、第1のシーケンスセットは少なくとも1つのシーケンスを含み、各シーケンスは、少なくとも1つの端末機器識別子によって識別される少なくとも1つの端末機器の1つのページング状況を指示するために使用される。
【００９７】
一般に、少なくとも1つの端末機器識別子によって識別される少なくとも1つの端末機器の、第1のシーケンスセット内のすべてのシーケンスによって指示されるページング状況は互いに異なる。
【００９８】
例えば、第1の信号が端末機器識別子1、端末機器識別子2、および端末機器識別子3に対応しているとき、端末機器識別子1、端末機器識別子2、および端末機器識別子3によってそれぞれ識別される端末機器の8つのページング状況があり得る。この場合、第1のシーケンスが端末機器識別子1、端末機器識別子2、および端末機器識別子3によってそれぞれ識別される端末機器のページング状況を指示するために使用されるとき、8（2×2×2＝8）つのシーケンスを含む第1のシーケンスセットが事前設定される必要があり、第1のシーケンスセット内の各シーケンスが、端末機器識別子1、端末機器識別子2、および端末機器識別子3によってそれぞれ識別される端末機器のページング状況のうちの1つを指示するために使用される。第1のシーケンスは、端末機器識別子1、端末機器識別子2、および端末機器識別子3によってそれぞれ識別される端末機器の実際のページング状況のうちの1つに対応するシーケンスである。
【００９９】
例えば、第1のシーケンスは、1つまたは複数の直交周波数分割多重（Orthogonal Frequency Division Multiplexing、OFDM）シンボルを占有し得る。第1のシーケンスは1および／もしくは−1で構成されたシーケンスであってもよく、第1のシーケンスは、擬似ランダムシーケンス、ハードコード、離散フーリエ変換（Discrete Fourier Transform、DFT）シーケンス、もしくはWalshコードなどであるか、または前述のタイプのシーケンスのいくつかの要素で構成されたシーケンスであってもよく、第1のシーケンスは一般の複素数で構成されたシーケンスであってもよく、または第1のシーケンスはZCシーケンスなどであってもよい。
【０１００】
このように、基地局がPDCCHをスケジュールすることによって端末機器にページング状況を通知する事例と比較して、本出願の本実施形態は、端末機器の電力消費および遅延の低減につながる。
【０１０１】
1つの可能な実施態様において、第1の信号はシステムメッセージ変更状況を指示するためにさらに使用される。
【０１０２】
例えば、第1の信号で搬送される元の情報が、端末機器の、少なくとも1つの第1のビットグループによって指示されるページング状況を含むとき、システムメッセージ変更状況は、第1の信号で搬送される元の情報に含まれる少なくとも1つの第2のビットグループを使用してさらに指示され得る。具体的には、第1の信号で搬送される元の情報は少なくとも1つの第2のビットグループを含み、各第2のビットグループは1つのシステムメッセージ変更状況を指示するために使用される。
【０１０３】
第2のビットグループは1ビットを含み得るか、または複数のビットを含み得ることを理解されたい。例えば、第1の信号で搬送される元の情報は2つの第2のビットグループ、すなわち、第2のビットグループ1および第2のビットグループ2を含む。第2のビットグループ1はシステムメッセージ変更状況を指示するために使用され、第2のビットグループ2は別のシステムメッセージ変更状況を指示するために使用される。例えば、第2のビットグループ1は1ビットを含むことができ、第2のビットグループ2は2ビットを含むか、または第2のビットグループ1と第2のビットグループ2の両方が1ビットを含むか、または第2のビットグループ1と第2のビットグループ2の両方が2ビットを含む。本出願の本実施形態では第2のビットグループ内のビット数は限定されない。
【０１０４】
通信中には、複数のシステムメッセージ変更状況、例えば、変更周期におけるシステムメッセージ変更状況やeDRX周期におけるシステムメッセージ変更状況が生じ得ることに留意されたい。
【０１０５】
例えば、シーケンスは、端末機器のページング状況を指示するときにシステムメッセージ変更状況を指示するためにも使用され得る。具体的には、第1の信号は第2のシーケンスであり、第2のシーケンスは、第2のシーケンスセット内にある、システムメッセージ変更状況と、少なくとも1つの端末機器識別子によって識別される端末機器の実際のページング状況とに対応しているシーケンスであり、第2のシーケンスセットは少なくとも1つのシーケンスを含み、少なくとも1つのシーケンス内の各シーケンスは、1つのシステムメッセージ変更状況と、少なくとも1つの端末機器識別子によって識別される少なくとも1つの端末機器の1つのページング状況とを指示するために使用される。
【０１０６】
一般に、少なくとも1つの端末機器識別子によって識別される少なくとも1つの端末機器の、第2のシーケンスセット内のすべてのシーケンスによって指示される、システムメッセージ変更状況とページング状況とは、互いに異なる。
【０１０７】
例えば、第1の信号が端末機器識別子1に対応しているとき、第2のシーケンスセットはシーケンス1、シーケンス2、シーケンス3、およびシーケンス4を含む。シーケンス1は、端末機器識別子1によって識別される端末機器が基地局によってページングされることを指示し、システムメッセージが変化する状況を指示するために使用される。シーケンス2は、端末機器識別子1によって識別される端末機器が基地局によってページングされることを指示するが、システムメッセージが変化しない状況を指示するために使用される。シーケンス3は、端末機器識別子1によって識別される端末機器が基地局によってページングされないことを指示するが、システムメッセージが変化する状況を指示するために使用される。シーケンス4は、端末機器識別子1によって識別される端末機器が基地局によってページングされないことを指示し、システムメッセージが変化しない状況を指示するために使用される。第1の信号が複数の端末機器識別子に対応しており、かつ／またはシステムメッセージ変更状況が複数の可能性を含むときに、第2のシーケンスセット内のシーケンスの数は、異なる端末機器のページング状況とシステムメッセージ変更状況とを指示するために増加し得る。加えて、第2のシーケンスセットが、第1の信号に対応する端末機器識別子によって識別される端末機器のいずれも基地局によってページングされず、システムメッセージが変化しないことを指示するために使用されるシーケンスを含まない場合もあることに留意されたい。
【０１０８】
実施形態2
第1の信号は少なくとも1つの第1のサブ信号を含み、少なくとも1つの第1のサブ信号内の各第1のサブ信号は少なくとも1つの端末機器識別子グループに対応しており、端末機器識別子グループは少なくとも1つの端末機器識別子を含み、各第1のサブ信号は、各第1のサブ信号に対応する少なくとも1つの端末機器識別子グループに含まれる端末機器識別子によって識別される端末機器のページング状況を指示するために使用される。
【０１０９】
具体的な実施に際しては、少なくとも1つの第1のサブ信号内の各第1のサブ信号が少なくとも1つの端末機器識別子グループに対応していることを実施するために以下の方法が使用され得る。1つの可能な実施態様において、第1のサブ信号で搬送される元の情報は少なくとも1つのビットグループを含み、各ビットグループは少なくとも1つの端末機器識別子グループに含まれる1つの端末機器識別子に対応している。
【０１１０】
例えば、1つのビットグループは少なくとも1ビットを含む。例えば、1つのビットグループは1ビットを含み得るか、または複数のビットを含み得る。第1のサブ信号で搬送される元の情報は2つのビットグループ、すなわち、ビットグループ1およびビットグループ2を含み、ビットグループ1に含まれるビット数はビットグループ2に含まれるビット数と同じであるか、または異なり得るものと仮定する。
【０１１１】
例えば、1つのビットグループが1つの端末機器識別子グループに対応している場合、そのビットグループは、1つの端末機器グループに含まれるすべての端末機器識別子を表すために使用され得る。例えば、ビットグループ内の少なくとも1ビットが1つの端末機器識別子の2進表現に対応している。別の可能な実施態様では、ビットグループは代替として少なくとも1ビットを含み得る。例えば、各ビットは1つの端末機器識別子によって識別される端末機器のページング状況に対応している。この実施態様では、ビットグループに含まれるビット数は端末機器識別子グループに含まれる端末機器識別子の数と同じである。
【０１１２】
別の可能な実施態様では、第1のサブ信号はターゲットシーケンスであり、ターゲットシーケンスは、少なくとも1つの端末機器識別子グループに対応するシーケンスセット内にある、少なくとも1つの端末機器識別子グループに含まれる少なくとも1つの端末機器識別子によって識別される少なくとも1つの端末機器の実際のページング状況に対応しているシーケンスであり、シーケンスセットは少なくとも1つのシーケンスを含み、1つのシーケンスは、少なくとも1つの端末機器識別子グループに含まれる少なくとも1つの端末機器識別子によって識別される少なくとも1つの端末機器の1つのページング状況を指示するために使用される。この実施方法は、第1の信号が第1のシーケンスである方法と同様であり、ここでは詳細を述べない。
【０１１３】
例えば、第1の信号は2つの第1のサブ信号、すなわち、第1のサブ信号1および第1のサブ信号2を含み、第1のサブ信号1は端末機器識別子グループ1および端末機器識別子グループ2に対応しており、第1のサブ信号2は端末機器識別子グループ3に対応している。第1のサブ信号1はターゲットシーケンス1であり、ターゲットシーケンス1は、シーケンスセット1内にある、端末機器識別子グループ1および端末機器識別子グループ2に含まれる少なくとも1つの端末機器識別子によって識別される少なくとも1つの端末機器の実際のページング状況に対応しているシーケンスであり、シーケンスセット1は端末機器識別子グループ1および端末機器識別子グループ2に対応しており、シーケンスセット1に含まれる少なくとも1つのシーケンス内の各シーケンスは、端末機器識別子グループ1および端末機器識別子グループ2に含まれる少なくとも1つの端末機器識別子によって識別される少なくとも1つの端末機器の1つのページング状況を指示するために使用される。第1のサブ信号2はターゲットシーケンス2であり、ターゲットシーケンス2は、シーケンスセット2内にある、端末機器識別子グループ3に含まれる少なくとも1つの端末機器識別子によって識別される少なくとも1つの端末機器の実際のページング状況に対応しているシーケンスであり、シーケンスセット2は端末機器識別子グループ3に対応しており、シーケンスセット2に含まれる少なくとも1つのシーケンス内の各シーケンスは、端末機器識別子グループ3に含まれる少なくとも1つの端末機器識別子によって識別される少なくとも1つの端末機器の1つのページング状況を指示するために使用される。
【０１１４】
例えば、第1の信号が少なくとも1つの第1のサブ信号を含むときに、第1のパラメータは、少なくとも1つの第1のサブ信号内の各第1のサブ信号に対応する少なくとも1つの端末機器識別子グループに含まれる少なくとも1つの端末機器識別子を含み、少なくとも1つの端末機器識別子グループに含まれる少なくとも1つの端末機器識別子は、少なくとも1つの端末機器識別子グループに対応する第1のサブ信号のリソース位置を指示するために使用される。
【０１１５】
例えば、第1の信号は第1のサブ信号1および第1のサブ信号2を含み、第1のサブ信号1は端末機器識別子グループ1に対応しており、第1のサブ信号2は端末機器識別子グループ2に対応している。この場合、第1のパラメータに含まれる端末機器識別子グループ1に含まれる少なくとも1つの端末機器識別子は第1のサブ信号1のリソース位置を指示するために使用され、第1のパラメータに含まれる端末機器識別子グループ2に含まれる少なくとも1つの端末機器識別子は第2のサブ信号2のリソース位置を指示するために使用される。
【０１１６】
第1の信号はDRXの間隔で1回送信され得るか、eDRXの間隔で1回送信され得るか、または事前設定持続時間の間隔で1回送信され得るので、第1の信号に含まれる少なくとも1つの第1のサブ信号内のすべての第1のサブ信号を送信するために使用されるリソースは連続的であるかまたは離散的であり得る。第1の信号が、図4に示されるように、1つのDRX周期で1回送信されるときに、1つの搬送波上の第1の信号に含まれる少なくとも1つの第1のサブ信号のリソース位置は、時間領域において連続的であり得るか、または時間領域において離散的であり得る。第1の信号に含まれる少なくとも1つの第1のサブ信号がDRX周期において連続したリソースのサブセットを占有する場合、DRX周期における連続したリソースの位置およびリソースサイズ（持続時間）は基地局によって構成されてもよく、基地局は、システムメッセージまたは別のタイプの上位層シグナリング（例えば、RRCシグナリング）を使用して端末機器に構成情報（例えば、DRX周期における連続したリソースの位置およびリソースサイズ）を通知し得る。第1の信号に含まれる少なくとも1つの第1のサブ信号がDRX周期において連続したリソースの複数のサブセット（すなわち、離散分布で）を占有する場合、連続したリソースの複数のサブセットは、均等に分配され得る、具体的には、2つの隣接する連続したリソース間の時間間隔が同じであるか、または均等に分配されない、すなわち、隣接する連続したリソース間の時間間隔が異なり得る。異なる連続したリソースのサイズ／持続時間は、同じであり得る、例えば、すべてが数個のシンボル、数個のサブフレーム、もしくは数個の無線フレームであるか、または異なり得る、例えば、ある連続したリソースは数個のシンボルであり、別の連続したリソースはそれらの連続したリソースとは異なるサイズを有し得る。
【０１１７】
加えて、第1の信号内の第1のサブ信号のうちの1つに対応する端末機器識別子グループ内の端末機器識別子によって識別される端末機器のいずれも基地局によってページングされないとき、すなわち、第1のサブ信号によって占有されるリソース位置に有効なページングがないときに、基地局は、第1のサブ信号によって占有されるリソース位置で第1のサブ信号を送信しない可能性があり、基地局はそのリソース位置を空のままにすることを選択し得ることに留意されたい。当然ながら、リソースを無駄にしないことを考慮して、第1のサブ信号によって占有されるリソース位置で別の信号が代替として搬送されてもよい。
【０１１８】
1つの可能な実施態様においては、図5aに示されるように、各第1のサブ信号は1つの端末機器識別子グループに対応しており、すべての第1のサブ信号は離散的に異なるリソースに分配される。
【０１１９】
具体的な実施に際して、各第1のサブ信号は1つの端末機器識別子グループに対応していてもよく、各端末機器識別子グループは複数の端末機器識別子を含む。各第1のサブ信号は複数の第2のサブ信号を含み、各第2のサブ信号は1つの端末機器識別子グループ内の1つの端末機器識別子に対応している。図5bに示されるように、第1のサブ信号0が端末機器識別子グループ0に対応しているとき、端末機器識別子グループ0は、UEID＃0〜UEID＃（k−1）として表され得るk個の端末機器識別子を含み、第1のサブ信号1が端末機器識別子グループ1に対応しているとき、端末機器識別子グループ1は、UEID＃k〜UEID＃（k＋m−1）として表され得るm個のUEIDを含み、以下同様であるものと仮定する。この場合、各第2のサブ信号は、1つの端末機器識別子によって識別される端末機器のページング状況を指示するために使用される。
【０１２０】
具体的な実施に際して、第2のサブ信号が1つの端末機器識別子によって識別される端末機器のページング状況を指示するために使用される方法は、第1のサブ信号が、少なくとも1つの端末機器識別子グループ内の少なくとも1つの端末機器識別子によって識別される端末機器のページング状況を指示するために使用される方法と同様であり、ここでは詳細を述べない。
【０１２１】
具体的な実施に際して、基地局は、図4に示されるマッピング方法において各DRXで第1のサブ信号を搬送するために異なるリソースを使用し得る。すべてのDRXで第1の信号に含まれる少なくとも1つの第1のサブ信号を搬送するリソースをマップする方法は同じであり得る。例えば、図6aに示されるように、第1の信号に含まれる1つの第1のサブ信号が各DRXで異なる無線フレーム内のリソースを使用して送信されるとき、すべてのDRXで第1の信号に含まれる少なくとも1つの第1のサブ信号のリソース位置は対応する無線フレームの位置に対して同じであり、すべてのDRXで第1の信号に含まれる少なくとも1つの第1のサブ信号のリソースサイズは同じである。あるいは、すべてのDRXで第1の信号に含まれる少なくとも1つの第1のサブ信号を搬送するリソースをマップする方法が異なり得るか、またはあるDRXで第1の信号に含まれる少なくとも1つの第1のサブ信号を搬送するリソースをマップする方法は同じであり、別のDRXで第1の信号に含まれる少なくとも1つの第1のサブ信号を搬送するリソースをマップする方法は異なる。
【０１２２】
1つの可能な実施態様において、基地局は第1の信号をinvalidリソースに送信するために使用されるリソースを構成し得る。invalidリソースとは、invalidリソースが端末機器のサービスデータ情報を搬送せず、ある専用の信号（例えば、本出願の本実施形態における第1の信号）を送信するために使用されることを意味する。基地局はシステムメッセージを使用して端末機器にinvalid構成を送信する。invalid構成を知った後、端末機器はサービスデータを送受信するときにこれらのinvalidリソースを自動的に回避し得る。
【０１２３】
当然ながら、基地局は代替として、invalidリソースに第1の信号を送信するためのリソースを構成しない場合もある。第1の信号のリソース位置を指示するために使用される情報はシステムメッセージおよび／または上位層シグナリングを使用して端末機器に通知され得るので、端末機器は、システムメッセージおよび／または上位層シグナリングを読み取ることによって第1の信号のリソース位置を決定し、追加の指示は不要である。
【０１２４】
NB−IoTのいくつかの配置シナリオにおいて、各無線フレーム内にあるサブフレーム＃0の最初の3つのOFDMシンボルおよびサブフレーム＃5の最初の3つのOFDMシンボルと、偶数の（すなわち、無線フレーム番号が偶数である）無線フレームのサブフレーム＃9の最初の3つのOFDMシンボルとの位置はすべて空であり、本出願の本実施形態における第1の信号は、これらのリソース位置またはこれらのリソース位置のうちのいくつかで送信され得る。当然ながら、第1の信号は代替として別の位置で送信されてもよい。これについては本明細書では限定されない。
【０１２５】
本出願の本実施形態において、第1の信号は、ただ1つの搬送波で送信され得るか、または複数の搬送波で送信され得る。第1の信号が複数の搬送波で送信されるときに、各搬送波上の第1のサブ信号は1つの端末機器グループに対応していてもよく、複数の搬送波上の第1のサブ信号に対応する端末機器識別子グループはすべての端末機器識別子のセットを構成する。当然ながら、各搬送波上の第1のサブ信号は代替として、すべての端末機器識別子グループに対応していてもよい。1つの搬送波では、第1のサブ信号は図3に示されるリソースマッピング方法で送信され得る。
【０１２６】
図7aに示されるように、DRX周期はTであり、1つのDRX周期Tにおいて、第1の信号は時間領域で離散的にマップされ、例えば、間隔をおいてサブフレームで送信され得るものと仮定する。隣接するサブフレーム間の間隔は同じかまたは異なり得る。図7bに示されるように、第1の信号は代替として、間隔をおいて無線フレームで送信されてもよく、隣接する無線フレーム間の間隔は同じかまたは異なり得る。本出願の本実施形態では、第1の信号は代替として送信のためのリソースブロック上で搬送されてもよく、各リソースブロックは、数個のサブフレーム、数個の無線フレームなどであり得る。ここでは、詳細を逐一記載しない。
【０１２７】
第1の信号が少なくとも1つの第1のサブ信号を含むときに、少なくとも1つの第1のサブ信号内の各第1のサブ信号は、システムメッセージ変更状況を指示するために使用される情報をさらに含むか、または少なくとも1つの第1のサブ信号内のいくつかの第1のサブ信号は、システムメッセージ変更状況を指示するために使用される情報をさらに含む。
【０１２８】
例えば、第1の信号は第1のサブ信号1および第1のサブ信号2を含み、第1のサブ信号1と第1のサブ信号2の両方がシステムメッセージ変更状況を指示するために使用される情報を含むか、または第1のサブ信号1がシステムメッセージ変更状況を指示するために使用される情報を含む。
【０１２９】
第1の信号がN個の第1のサブ信号を含むときに、数個の第1のサブ信号の間隔で1つの第1のサブ信号が、システムメッセージ変更状況を指示するために使用される情報を含み得る。
【０１３０】
具体的な実施に際して、第1のサブ信号がシステムメッセージ変更状況を指示するために使用される情報を含む方法は、第1の信号がシステムメッセージ変更状況を指示するために使用される情報を含む方法と同様であり、ここでは詳細を述べない。
【０１３１】
実施形態1および実施形態2におけるシステムメッセージについて、端末機器がセルDRXのみを使用する場合、DRXがシステムメッセージ変更周期（Modification Period、MP）より小さいときに、システムメッセージ変更状況を指示するために使用される情報は、現在のシステムメッセージが前のMPにおけるシステムメッセージに対して変化するかどうかに関する情報である。
【０１３２】
端末機器がMPより大きいeDRXを使用する場合、eDRXはMPより大きく、基地局はeDRXを使用して端末機器上のeDRX周期を知ることができないので、システムメッセージ変更状況を指示するために使用される情報は、システムメッセージが最長のeDRX周期内に変化するかどうかに関する情報である。
【０１３３】
加えて、実施形態1および実施形態2における第1の信号について、基地局はいくつかのDRXのみで第1の信号を選択的に送信してもよい。LTE／NB−IoTなどの通信システムにおける端末機器は独自のeDRX周期構成を有し得るので、eDRXで構成された端末機器については、端末機器はDRX周期ごとに起動せず、端末機器のeDRX構成に従っていくつかのDRX周期のみで起動し得る。この場合、基地局は、各DRXで第1の信号を送信するのではなく、対応するeDRX構成に従ってこれらの端末機器に、端末機器が起動するDRXのみで第1の信号を送信し得る。
【０１３４】
同じ概念に基づき、本出願の一実施形態はネットワーク機器をさらに提供し、本ネットワーク機器は、前述の方法実施形態におけるネットワーク機器の動作または機能を行うように構成される。
【０１３５】
同じ概念に基づき、本出願の一実施形態は端末機器をさらに提供し、本端末機器は、前述の方法実施形態における端末機器の動作または機能を行うように構成される。
【０１３６】
本発明の一実施形態は、前述の実施形態におけるネットワーク機器と端末機器とを、含む通信システムをさらに提供する。
【０１３７】
簡潔にするために、装置部分の内容については、前述の方法実施形態を参照されたい。詳細は繰り返さない。
【０１３８】
図8aに示されるように、本出願の一実施形態におけるネットワーク機器800aは、処理モジュール810aと送信モジュール820aとを含む。処理モジュール810aは第1のパラメータを決定するように構成され、第1のパラメータは第1の信号のリソース位置を指示するために使用される情報を含む。送信モジュール820aは、システムメッセージおよび／または上位層シグナリングを使用して端末機器に端末機器の処理モジュールによって決定された第1のパラメータの全部または一部を通知するように構成される。送信モジュール820aは、処理モジュールによって決定された第1のパラメータに基づいて端末機器に第1の信号を送信するようにさらに構成され、第1の信号は端末機器のページング状況を指示するために使用される。
【０１３９】
1つの可能な実施態様において、第1の信号は少なくとも1つの端末機器識別子に対応しており、送信モジュール820aによって送信される第1の信号は少なくとも1つの端末機器識別子によって識別される少なくとも1つの端末機器のページング状況を指示するために使用される。
【０１４０】
1つの可能な実施態様において、第1の信号で搬送される元の情報は少なくとも1つの第1のビットグループを含み、各第1のビットグループは少なくとも1つの端末機器識別子内の1つの端末機器識別子に対応しているか、または
第1の信号は第1のシーケンスであり、第1のシーケンスは、第1のシーケンスセット内にある、少なくとも1つの端末機器識別子によって識別される少なくとも1つの端末機器の実際のページング状況に対応しているシーケンスであり、第1のシーケンスセットは少なくとも1つのシーケンスを含み、各シーケンスは、少なくとも1つの端末機器識別子によって識別される少なくとも1つの端末機器の1つのページング状況を指示するために使用される。
【０１４１】
1つの可能な実施態様において、送信モジュールによって送信される第1の信号はシステムメッセージ変更状況を指示するために使用される情報をさらに含む。
【０１４２】
1つの可能な実施態様において、第1の信号で搬送される元の情報は少なくとも1つの第2のビットグループを含み、各第2のビットグループは1つのシステムメッセージ変更状況を指示するために使用されるか、または
第1の信号は第2のシーケンスであり、第2のシーケンスは、第2のシーケンスセット内にある、システムメッセージ変更状況と、少なくとも1つの端末機器識別子によって識別される少なくとも1つの端末機器の実際のページング状況とに対応しているシーケンスであり、第2のシーケンスセットは少なくとも1つのシーケンスを含み、各シーケンスは、1つのシステムメッセージ変更状況と、少なくとも1つの端末機器識別子によって識別される少なくとも1つの端末機器の1つのページング状況とを指示するために使用される。
【０１４３】
1つの可能な実施態様において、第1の信号は少なくとも1つの第1のサブ信号を含み、少なくとも1つの第1のサブ信号内の各第1のサブ信号は少なくとも1つの端末機器識別子グループに対応しており、端末機器識別子グループは少なくとも1つの端末機器識別子を含み、各第1のサブ信号は、各第1のサブ信号に対応する少なくとも1つの端末機器識別子グループに含まれる端末機器識別子によって識別される端末機器のページング状況を指示するために使用される。
【０１４４】
1つの可能な実施態様において、処理モジュール810aによって決定される第1のパラメータは、少なくとも1つの第1のサブ信号内の各第1のサブ信号に対応する少なくとも1つの端末機器識別子グループに含まれる少なくとも1つの端末機器識別子を含み、少なくとも1つの端末機器識別子グループに含まれる少なくとも1つの端末機器識別子は、少なくとも1つの端末機器識別子グループに対応する第1のサブ信号のリソース位置を指示するために使用される。
【０１４５】
1つの可能な実施態様において、第1のサブ信号で搬送される元の情報は少なくとも1つの第1のビットグループを含み、各第1のビットグループは少なくとも1つの端末機器識別子グループに含まれる1つの端末機器識別子に対応しているか、または
第1のサブ信号はターゲットシーケンスであり、ターゲットシーケンスは、少なくとも1つの端末機器識別子グループに対応するシーケンスセット内にある、少なくとも1つの端末機器識別子グループに含まれる少なくとも1つの端末機器識別子によって識別される少なくとも1つの端末機器の実際のページング状況に対応しているシーケンスであり、シーケンスセットは少なくとも1つのシーケンスを含み、各シーケンスは、少なくとも1つの端末機器識別子グループに含まれる少なくとも1つの端末機器識別子によって識別される少なくとも1つの端末機器の1つのページング状況を指示するために使用される。
【０１４６】
1つの可能な実施態様において、少なくとも1つの第1のサブ信号内の各第1のサブ信号は、システムメッセージ変更状況を指示するために使用される情報をさらに含むか、または少なくとも1つの第1のサブ信号内のいくつかの第1のサブ信号は、システムメッセージ変更状況を指示するために使用される情報をさらに含む。
【０１４７】
1つの可能な実施態様において、処理モジュール810aによって決定される第1のパラメータが第1の信号のリソース位置を指示するために使用される情報を含む1つの可能な実施態様は、
第1のパラメータが、時間リソース位置指示情報と周波数リソース位置指示情報の少なくとも一方を含むこと、
である。
【０１４８】
加えて、第1のパラメータは、第1の信号のリソース位置を指示するために使用される指示情報以外の他の指示情報をさらに含んでいてもよく、例えば、端末機器識別子、変調符号化方式指示情報、信号長／信号サイズ指示情報、カバレッジレベル指示情報、繰り返し数指示情報、および第1の信号と端末機器識別子との間の対応規則の指示情報、のうちの少なくとも1つを含み得る。
【０１４９】
本出願の本実施形態では、処理モジュール810aはプロセッサによって実施されてもよく、送信モジュール820aは送受信機によって実施されてもよいことに留意されたい。図8bに示されるように、ネットワーク機器800bは、プロセッサ810bと、送受信機820bと、メモリ830bとを含み得る。メモリ830bは、配信時に基地局800bによってプレインストールされるプログラム／コードを格納するように構成され得るか、またはプロセッサ810bが実行するために使用されるコードなどを格納し得る。
【０１５０】
プロセッサ810bは、本出願の本実施形態で提供される技術的解決策を実施するために、汎用中央処理装置（Central Processing Unit、CPU）、マイクロプロセッサ、特定用途向け集積回路（Application Specific Integrated Circuit、ASIC）、または関連動作を行う1つもしくは複数の集積回路を使用し得る。
【０１５１】
図8bにはネットワーク機器800b内のプロセッサ810b、送受信機820b、およびメモリ830bのみが示されているが、具体的な実施プロセスにおいて、基地局800bは通常動作に必要とされる別の構成要素をさらに含むことを当業者は理解するはずであることに留意されたい。加えて、特定の要件によれば、基地局800bは他の追加機能を実施するためのハードウェア構成要素をさらに含み得ることも当業者は理解するはずである。さらに、基地局800bは本出願の本実施形態を実施するために不可欠な構成要素またはモジュールのみを含み得るが、図8bに示されるすべての構成要素を必ずしも含まないことを当業者は理解するはずである。
【０１５２】
実施形態における方法のプロセスの全部または一部が関連ハードウェアに命令するコンピュータプログラムによって実現され得ることが当業者には理解されよう。プログラムはコンピュータ可読記憶媒体に記憶され得る。プログラムが動作すると、実施形態における方法のプロセスが行われる。前述の記憶媒体は、磁気ディスク、光ディスク、読取り専用メモリ（Read−Only Memory、ROM）、ランダムアクセスメモリ（Random Access Memory、RAM）などであり得る。
【０１５３】
図9aに示されるように、本出願の一実施形態におけるネットワーク機器900aは、処理モジュール910aと送信モジュール920aとを含む。処理モジュール910aは第1のパラメータを決定するように構成され、第1のパラメータは第1の信号のリソース位置を指示するために使用される情報を含む。送信モジュール920aは、処理モジュールによって決定された第1のパラメータに基づいて端末機器に第1の信号を送信するように構成され、第1の信号は端末機器のページング状況を指示するために使用される。
【０１５４】
本出願の本実施形態におけるネットワーク機器900aのすべての可能な実施態様については、本出願の実施形態における基地局800aのすべての可能な実施態様を参照されたい。
【０１５５】
本出願の本実施形態では、処理モジュール910aはプロセッサによって実施されてもよく、送信モジュール920aは送受信機によって実施されてもよいことに留意されたい。図9bに示されるように、基地局900bは、プロセッサ910bと、送受信機920bと、メモリ930bとを含み得る。メモリ930bは、配信時に基地局900bによってプレインストールされるプログラム／コードを格納するように構成され得るか、またはプロセッサ910bが実行するために使用されるコードなどを格納し得る。
【０１５６】
プロセッサ910bは、本出願の本実施形態で提供される技術的解決策を実施するために、汎用CPU、マイクロプロセッサ、ASIC、または関連動作を行う1つもしくは複数の集積回路を使用し得る。
【０１５７】
図9bには基地局900b内のプロセッサ910b、送受信機920b、およびメモリ930bのみが示されているが、具体的な実施プロセスにおいて、基地局900bは通常動作に必要とされる別の構成要素をさらに含むことを当業者は理解するはずであることに留意されたい。加えて、特定の要件によれば、基地局900bは他の追加機能を実施するためのハードウェア構成要素をさらに含み得ることも当業者は理解するはずである。さらに、基地局900bは本出願の本実施形態を実施するために不可欠な構成要素またはモジュールのみを含み得るが、図9bに示されるすべての構成要素を必ずしも含まないことを当業者は理解するはずである。
【０１５８】
実施形態における方法のプロセスの全部または一部が関連ハードウェアに命令するコンピュータプログラムによって実現され得ることが当業者には理解されよう。プログラムはコンピュータ可読記憶媒体に記憶され得る。プログラムが動作すると、実施形態における方法のプロセスが行われる。記憶媒体は、磁気ディスク、光ディスク、ROM、RAMなどであり得る。
【０１５９】
図10aに示されるように、本出願の一実施形態における端末機器1000aは、受信モジュール1020aと処理モジュール1010aとを含む。受信モジュール1020aは、決定された第1のパラメータの全部または一部を受信し、決定された第1のパラメータの全部または一部が基地局によってシステムメッセージおよび／または上位層シグナリングを使用して端末機器に通知され、第1のパラメータが第1の信号のリソース位置を指示するために使用される情報を含み、第1のパラメータに基づいて基地局によって送信された第1の信号を受信し、第1の信号が端末機器のページング状況を指示するために使用される、ように構成される。処理モジュール1010aは、受信モジュールによって受信された第1の信号に基づいて端末機器のページング状況を決定するように構成される。
【０１６０】
本出願の本実施形態における端末機器1000aのすべての可能な実施態様については、本出願の実施形態における基地局800aのすべての可能な実施態様を参照されたい。
【０１６１】
本出願の本実施形態では、処理モジュール1010aはプロセッサによって実施されてもよく、受信モジュール1020aは送受信機によって実施されてもよいことに留意されたい。図10bに示されるように、端末機器1000bは、プロセッサ1010bと、送受信機1020bと、メモリ1030bとを含み得る。メモリ1030bは、配信時に端末機器1000bによってプレインストールされるプログラム／コードを格納するように構成され得るか、またはプロセッサ1010bが実行するために使用されるコードなどを格納し得る。
【０１６２】
プロセッサ1010bは、本出願の本実施形態で提供される技術的解決策を実施するために、汎用CPU、マイクロプロセッサ、ASIC、または関連動作を行う1つもしくは複数の集積回路を使用し得る。
【０１６３】
図10bには端末機器1000b内のプロセッサ1010b、送受信機1020b、およびメモリ1030bのみが示されているが、具体的な実施プロセスにおいて、端末機器1000bは通常動作に必要とされる別の構成要素をさらに含むことを当業者は理解するはずであることに留意されたい。加えて、特定の要件によれば、端末機器1000bは他の追加機能を実施するためのハードウェア構成要素をさらに含み得ることも当業者は理解するはずである。さらに、端末機器1000bは本出願の本実施形態を実施するために不可欠な構成要素またはモジュールのみを含み得るが、図10bに示されるすべての構成要素を必ずしも含まないことを当業者は理解するはずである。
【０１６４】
実施形態における方法のプロセスの全部または一部が関連ハードウェアに命令するコンピュータプログラムによって実現され得ることが当業者には理解されよう。プログラムはコンピュータ可読記憶媒体に記憶され得る。プログラムが動作すると、実施形態における方法のプロセスが行われる。記憶媒体は、磁気ディスク、光ディスク、ROM、RAMなどであり得る。
【０１６５】
図11aに示されるように、本出願の一実施形態における端末機器1100aは、処理モジュール1110aと受信モジュール1120aとを含む。処理モジュール1110aは第1のパラメータを決定するように構成される。受信モジュール1120aは、第1のパラメータに基づいて基地局によって送信された第1の信号を受信するように構成され、第1の信号は端末機器のページング状況を指示するために使用される。処理モジュールは、受信モジュールによって受信された第1の信号に基づいて端末機器のページング状況を決定するように構成される。
【０１６６】
本出願の本実施形態における端末機器1100aのすべての可能な実施態様については、本出願の実施形態における基地局800aのすべての可能な実施態様を参照されたい。
【０１６７】
本出願の本実施形態では、処理モジュール1110aはプロセッサによって実施されてもよく、受信モジュール1120aは送受信機によって実施されてもよいことに留意されたい。図11bに示されるように、端末機器1100bは、プロセッサ1110bと、送受信機1120bと、メモリ1130bとを含み得る。メモリ1130bは、配信時に端末機器1100bによってプレインストールされるプログラム／コードを格納するように構成され得るか、またはプロセッサ1110bが実行するために使用されるコードなどを格納し得る。
【０１６８】
プロセッサ1110bは、本出願の本実施形態で提供される技術的解決策を実施するために、汎用CPU、マイクロプロセッサ、ASIC、または関連動作を行う1つもしくは複数の集積回路を使用し得る。
【０１６９】
図11bには端末機器1100b内のプロセッサ1110b、送受信機1120b、およびメモリ1130bのみが示されているが、具体的な実施プロセスにおいて、端末機器1100bは通常動作に必要とされる別の構成要素をさらに含むことを当業者は理解するはずであることに留意されたい。加えて、特定の要件によれば、端末機器1100bは他の追加機能を実施するためのハードウェア構成要素をさらに含み得ることも当業者は理解するはずである。さらに、端末機器1100bは本出願の本実施形態を実施するために不可欠な構成要素またはモジュールのみを含み得るが、図11bに示されるすべての構成要素を必ずしも含まないことを当業者は理解するはずである。
【０１７０】
実施形態における方法のプロセスの全部または一部が関連ハードウェアに命令するコンピュータプログラムによって実現され得ることが当業者には理解されよう。プログラムはコンピュータ可読記憶媒体に記憶され得る。プログラムが動作すると、実施形態における方法のプロセスが行われる。記憶媒体は、磁気ディスク、光ディスク、ROM、RAMなどであり得る。
【０１７１】
図12に示されるように、本出願の一実施形態における通信システム1210は、図8aに示される任意の可能な基地局800aと、図10aに示される任意の可能な端末機器1000aとを含む。
【０１７２】
図13に示されるように、本出願の一実施形態における通信システム1300は、図9aに示される任意の可能な基地局800aと、図11aに示される任意の可能な端末機器1100aとを含む。
【０１７３】
結論として、本出願では、基地局は、第1のパラメータを決定し、システムメッセージおよび／もしくは上位層シグナリングを使用して端末機器に決定された第1のパラメータの全部もしくは一部を通知するか、または基地局は、第1のパラメータを決定し、第1のパラメータに基づいて端末機器に第1の信号を送信し、第1の信号は端末機器のページング状況を指示するために使用され、第1のパラメータは第1の信号のリソース位置を指示するために使用される情報を含む。この信号伝送方法により、端末が端末のページング状況を決定するためにPDCCHをスケジュールする事例が回避される。したがって、端末機器の電力消費がある程度まで削減される。
【０１７４】
本出願の実施形態は、方法、システム、またはコンピュータプログラム製品として提供され得ることを当業者は理解するはずである。したがって、本出願の実施形態は、ハードウェアのみの実施形態、ソフトウェアのみの実施形態、またはソフトウェアとハードウェアの組み合わせによる実施形態の形態を使用し得る。さらに、本出願の実施形態は、コンピュータ使用可能プログラムコードを含む（ディスクメモリ、CD−ROM、光メモリなどを含むがこれに限定されない）1つまたは複数のコンピュータ使用可能記憶媒体上に実装されたコンピュータプログラム製品の形態を使用し得る。
【０１７５】
本出願の実施形態は、本出願の実施形態による方法、機器（システム）、およびコンピュータプログラム製品の流れ図および／またはブロック図を参照して説明されている。コンピュータプログラム命令は、流れ図および／またはブロック図内の各プロセスおよび／または各ブロック、ならびに流れ図および／またはブロック図内のプロセスおよび／またはブロックの組み合わせを実現するために使用され得ることを理解されたい。これらのコンピュータプログラム命令は、汎用コンピュータ、専用コンピュータ、組み込みプロセッサ、または別のプログラマブルデータ処理デバイスのプロセッサが機械を生成するために提供され得るものであり、このため、これらの命令がコンピュータまたは別のプログラマブルデータ処理デバイスのプロセッサによって実行されると、流れ図内の1つもしくは複数のプロセスおよび／またはブロック図内の1つもしくは複数のブロックにおける特定の機能を実現するための装置が生成される。
【０１７６】
これらのコンピュータプログラム命令は代替として、コンピュータまたは別のプログラマブルデータ処理デバイスに特定の方法で動作するよう命令することができるコンピュータ可読メモリに格納されてもよく、これによりコンピュータ可読メモリに格納された命令は命令装置を含む製品を生成する。命令装置は、流れ図内の1つもしくは複数のプロセスおよび／またはブロック図内の1もしくは複数のブロックにおける特定の機能を実現する。
【０１７７】
これらのコンピュータプログラム命令は代替として、コンピュータまたは別のプログラマブルデータ処理デバイスにロードされてもよく、これにより、一連の動作およびステップがコンピュータまたは別のプログラマブルデバイス上で行われて、コンピュータ実装処理が生成される。したがって、命令がコンピュータまたは別のプログラマブルデバイス上で実行されることにより、流れ図内の1もしくは複数のプロセスおよび／またはブロック図内の1つもしくは複数のブロックにおける特定の機能を実現するためのステップが提供される。
【０１７８】
当業者が、本出願の趣旨および範囲を逸脱することなく本出願に様々な改変および変形を加えることができることは明白である。本出願は、これらの改変および変形が添付の本出願の特許請求の範囲およびこれと均等な技術によって定義される範囲内に含まれるという条件で、これらの改変および変形を包含すべきものである。
【符号の説明】
【０１７９】
800a  ネットワーク機器
810a  処理モジュール
820a  送信モジュール
800b  基地局
810b  プロセッサ
820b  送受信機
830b  メモリ
900a  ネットワーク機器
910a  処理モジュール
920a  送信モジュール
900b  基地局
910b  プロセッサ
920b  送受信機
930b  メモリ
1000a  端末機器
1010a  処理モジュール
1020a  受信モジュール
1000b  端末機器
1010b  プロセッサ
1020b  送受信機
1030b  メモリ
1100a  端末機器
1110a  処理モジュール
1120a  受信モジュール
1100b  端末機器
1110b  プロセッサ
1120b  送受信機
1130b  メモリ
1200  通信システム
1300  通信システム
【図１ａ】
2020505887.tif 000003
【図１ｂ】
2020505887.tif 000004
【図１ｃ】
2020505887.tif 000005
【図２ａ】
2020505887.tif 000006
【図２ｂ】
2020505887.tif 000007
【図２ｃ】
2020505887.tif 000008
【図３】
2020505887.tif 000009
【図４】
2020505887.tif 000010
【図５ａ】
2020505887.tif 000011
【図５ｂ】
2020505887.tif 000012
【図６ａ】
2020505887.tif 000013
【図６ｂ】
2020505887.tif 000014
【図６ｃ】
2020505887.tif 000015
【図７ａ】
2020505887.tif 000016
【図７ｂ】
2020505887.tif 000017
【図８ａ】
2020505887.tif 000018
【図８ｂ】
2020505887.tif 000019
【図９ａ】
2020505887.tif 000020
【図９ｂ】
2020505887.tif 000021
【図１０ａ】
2020505887.tif 000022
【図１０ｂ】
2020505887.tif 000023
【図１１ａ】
2020505887.tif 000024
【図１１ｂ】
2020505887.tif 000025
【図１２】
2020505887.tif 000026
【図１３】
2020505887.tif 000027
【手続補正書】
【提出日】令和1年8月22日(2019.8.22)
【手続補正１】
【補正対象書類名】特許請求の範囲
【補正対象項目名】全文
【補正方法】変更
【補正の内容】
【特許請求の範囲】
【請求項１】
信号送信方法であって、
ネットワーク機器が、第1のパラメータを決定するステップと、
前記ネットワーク機器が、前記第1のパラメータをシステムメッセージを通じて端末機器に通知するステップであって、
前記第1のパラメータが第1の信号のリソース位置を指示するために使用される情報を含む、前記ステップと、
前記ネットワーク機器が、前記第1のパラメータに基づいて前記端末機器に前記第1の信号を送信するステップであって、前記第1の信号が前記端末機器のページング状況を指示するために使用される、前記ステップと
を含む、信号送信方法。
【請求項２】
前記第1の信号が前記端末機器のページング状況を指示するために使用されることが、
前記第1の信号が少なくとも1つの端末機器識別子に対応しており、前記第1の信号が前記少なくとも1つの端末機器識別子によって識別される少なくとも1つの端末機器のページング状況を指示するために使用されること、
を含む、請求項1に記載の方法。
【請求項３】
前記第1の信号が少なくとも1つの端末機器識別子に対応しており、前記第1の信号が前記少なくとも1つの端末機器識別子によって識別される少なくとも1つの端末機器のページング状況を指示するために使用されることが、
前記第1の信号が第1のシーケンスであり、前記第1のシーケンスが、第1のシーケンスセット内にある、前記少なくとも1つの端末機器識別子によって識別される前記少なくとも1つの端末機器の実際のページング状況に対応しているシーケンスであり、前記第1のシーケンスセットが少なくとも1つのシーケンスを含み、各シーケンスが、前記少なくとも1つの端末機器識別子によって識別される前記少なくとも1つの端末機器の1つのページング状況を指示するために使用されること、
を含む、請求項2に記載の方法。
【請求項４】
前記第1の信号がシステムメッセージ変更状況を指示するために使用される情報をさらに含む、請求項1から3のいずれか一項に記載の方法。
【請求項５】
信号受信方法であって、
端末機器が、システムメッセージを使用して送信された第1のパラメータを受信するステップであって、
前記第1のパラメータが第1の信号のリソース位置を指示するために使用される情報を含む、前記ステップと、
前記第1のパラメータに基づいて前記端末機器が、前記ネットワーク機器によって送信された前記第1の信号を受信するステップであって、前記第1の信号が前記端末機器のページング状況を指示するために使用される、前記ステップと、
前記端末機器が、前記第1の信号に基づいて前記端末機器の前記ページング状況を決定するステップと
を含む、信号受信方法。
【請求項６】
前記第1の信号が前記端末機器のページング状況を指示するために使用されることが、
前記第1の信号が少なくとも1つの端末機器識別子に対応しており、前記第1の信号が前記少なくとも1つの端末機器識別子によって識別される少なくとも1つの端末機器のページング状況を指示するために使用されること、
を含み、
前記端末機器が、前記第1の信号に基づいて前記端末機器の前記ページング状況を決定する前記ステップが
前記端末機器が、前記第1の信号と前記端末機器を識別する端末機器識別子とに基づいて前記端末機器の前記ページング状況を決定するステップ
を含む、請求項5に記載の方法。
【請求項７】
前記第1の信号が少なくとも1つの端末機器識別子に対応しており、前記第1の信号が前記少なくとも1つの端末機器識別子によって識別される少なくとも1つの端末機器のページング状況を指示するために使用されることが、
前記第1の信号が第1のシーケンスであり、前記第1のシーケンスが、第1のシーケンスセット内にある、前記少なくとも1つの端末機器識別子によって識別される前記少なくとも1つの端末機器の実際のページング状況に対応しているシーケンスであり、前記第1のシーケンスセットが少なくとも1つのシーケンスを含み、各シーケンスが、前記少なくとも1つの端末機器識別子によって識別される前記少なくとも1つの端末機器の1つのページング状況を指示するために使用されること、
を含む、請求項6に記載の方法。
【請求項８】
前記第1の信号がシステムメッセージ変更状況を指示するために使用される情報をさらに含む、請求項5から7のいずれか一項に記載の方法。
【請求項９】
第1のパラメータを決定するように構成された処理モジュールであって、前記第1のパラメータが第1の信号のリソース位置を指示するために使用される情報を含む、処理モジュールと、
システムメッセージを使用して、端末機器に前記処理モジュールによって決定された前記第1のパラメータを通知するように構成された、送信モジュールであって、
前記送信モジュールが、前記処理モジュールによって決定された前記第1のパラメータに基づいて前記端末機器に前記第1の信号を送信し、前記第1の信号が前記端末機器のページング状況を指示するために使用される、ように構成される、送信モジュールと
を含む、通信装置。
【請求項１０】
前記送信モジュールによって送信された前記第1の信号が前記端末機器のページング状況を指示するために使用されることが、
前記第1の信号が少なくとも1つの端末機器識別子に対応しており、前記第1の信号が前記少なくとも1つの端末機器識別子によって識別される少なくとも1つの端末機器のページング状況を指示するために使用されること、
を含む、請求項9に記載の通信装置。
【請求項１１】
前記第1の信号が少なくとも1つの端末機器識別子に対応しており、前記第1の信号が前記少なくとも1つの端末機器識別子によって識別される少なくとも1つの端末機器のページング状況を指示するために使用されることが、
前記第1の信号が第1のシーケンスであり、前記第1のシーケンスが、第1のシーケンスセット内にある、前記少なくとも1つの端末機器識別子によって識別される前記少なくとも1つの端末機器の実際のページング状況に対応しているシーケンスであり、前記第1のシーケンスセットが少なくとも1つのシーケンスを含み、各シーケンスが、前記少なくとも1つの端末機器識別子によって識別される前記少なくとも1つの端末機器の1つのページング状況を指示するために使用されること、
を含む、請求項10に記載の通信装置。
【請求項１２】
前記送信機によって送信された前記第1の信号がシステムメッセージ変更状況を指示するために使用される情報をさらに含む、請求項9から11のいずれか一項に記載の通信装置。
【請求項１３】
通信装置であって、
システムメッセージを使用して送信される第1のパラメータを受信し、前記第1のパラメータに基づいて前記ネットワーク機器によって送信される前記第1の信号を受信し、前記第1のパラメータが第1の信号のリソース位置を指示するために使用される情報を含み、前記第1の信号が前記端末機器のページング状況を指示するために使用される、ように構成された、受信モジュールと、
前記受信モジュールによって受信された前記第1の信号に基づいて前記端末機器の前記ページング状況を決定するように構成された、処理モジュールと
を含む、通信装置。
【請求項１４】
前記受信モジュールによって受信された前記第1のパラメータに含まれる前記第1の信号が前記端末機器のページング状況を指示するために使用されることが、
前記第1の信号が少なくとも1つの端末機器識別子に対応しており、前記第1の信号が前記少なくとも1つの端末機器識別子によって識別される少なくとも1つの端末機器のページング状況を指示するために使用されること、
を含み、
前記端末機器が、前記第1の信号に基づいて前記端末機器の前記ページング状況を決定する前記ことが
前記端末機器が、前記第1の信号と前記端末機器を識別する端末機器識別子とに基づいて前記端末機器の前記ページング状況を決定すること
を含む、請求項13に記載の通信装置。
【請求項１５】
前記受信モジュールによって受信された前記第1のパラメータに含まれる前記第1の信号が少なくとも1つの端末機器識別子に対応していることが、
前記第1の信号で搬送される元の情報が少なくとも1つの第1のビットグループを含み、各第1のビットグループが前記少なくとも1つの端末機器識別子内の1つの端末機器識別子に対応していること、
を含むか、または
前記第1の信号が少なくとも1つの端末機器識別子に対応しており、前記第1の信号が前記少なくとも1つの端末機器識別子によって識別される少なくとも1つの端末機器のページング状況を指示するために使用されることが、
前記第1の信号が第1のシーケンスであり、前記第1のシーケンスが、第1のシーケンスセット内にある、前記少なくとも1つの端末機器識別子によって識別される前記少なくとも1つの端末機器の実際のページング状況に対応しているシーケンスであり、前記第1のシーケンスセットが少なくとも1つのシーケンスを含み、各シーケンスが、前記少なくとも1つの端末機器識別子によって識別される前記少なくとも1つの端末機器の1つのページング状況を指示するために使用されること、
を含む、請求項14に記載の通信装置。
【請求項１６】
前記受信モジュールによって受信された前記第1のパラメータに含まれる前記第1の信号がシステムメッセージ変更状況を指示するために使用される情報をさらに含む、請求項13から15のいずれか一項に記載の通信装置。
【請求項１７】
ネットワーク機器による使用のためのプログラムコードを格納する非一時的なコンピュータ読み出し可能媒体であって、前記プログラムコードが
第1のパラメータを決定することと、
前記第1のパラメータをシステムメッセージを通じて端末機器に通知することであって、
前記第1のパラメータが第1の信号のリソース位置を指示するために使用される情報を含む、通知することと、
前記第1のパラメータに基づいて前記端末機器に前記第1の信号を送信することであって、前記第1の信号が前記端末機器のページング状況を示すために使用される、送信することと、
のための命令を備える、媒体。
【請求項１８】
端末機器による使用のためのプログラムコードを格納する非一時的なコンピュータ読み出し可能媒体であって、前記プログラムコードが
システムメッセージを使用して送信された第1のパラメータを受信することであって、
前記第1のパラメータが第1の信号のリソース位置を指示するために使用される情報を含む、受信することと、
前記第1のパラメータに基づいて前記ネットワーク機器によって送信された前記第1の信号を受信することであって、前記第1の信号が前記端末機器のページング状況を示すために使用される、受信することと、
前記第1の信号に基づいて前記端末機器の前記ページング状況を決定することと、
のための命令を備える、媒体。
【国際調査報告】
2020505887.tif 000028
2020505887.tif 000029
2020505887.tif 000030
2020505887.tif 000031